(57)【特許請求の範囲】
【請求項１】
複数の移動装置を具えた無線通信システムにおけるアクセスチャンネルのスケジューリングであって、前記無線通信システム内で前記移動装置がネットワークにアクセスするための無線チャンネルを共用し、前記無線通信システムに衝突が生じやすく、前記無線通信システムが、送信及び受信信号を搬送する少なくとも１つの受信−送信キャリアを通して前記移動装置（UE）と通信状態にあるセルラー遠隔通信（3G）の送受信基地局（BTSC）によって制御され、そして、連続フレームに属する隣接した時間スロット内に含まれ、かつ階層的なマルチフレーム（ハイパーフレーム）内で無限に反復されるバースト信号と称するビット列をベースバンド内に生成して、前記各ビット列が、共通キャリア上の符号分割多重用の関連符号を有し、前記送信及び受信信号が、少なくとも前記基地局によって前記移動装置向けに送信されるパイロット信号（DwPTS）を前記フレーム内に含んで、前記移動装置の受信を同期させて、かつ前記基地局が前記移動装置向けに広報するシステム情報を含むサービスチャンネル（BCCH）の前記マルチフレーム内における位置を示し、前記送信及び受信信号が、前記移動装置が前記共用アクセスチャンネル上で前記基地局に送信する識別情報の列（SYNC1）を含む、無線通信システムにおけるアクセスチャンネルのスケジューリングにおいて、
前記無線通信システムが、
ａ）ネットワークが、前記サービスチャンネル（BCCH）によって搬送されるシステム情報中に挿入したか、あるいは、少なくともネットワークへのアクセスを要求している前記移動装置に専用チャンネル（TCH、SACCH、FACCH）を割り当てる手順の開始時にネットワークが送信するメッセージ中に挿入した適切なアクセスパラメータ（P1、P2、P3）を、前記移動装置が読み取るステップと；
ｂ）前記移動装置が、前記共用アクセスチャンネル（UpPTS）の共用アクセスサブチャンネル（UpPTSSUBCH）を規定して、前記アクセスパラメータ（P1、P2、P3）を使用することによって、前記各サブチャンネルをアクセス型に関連付けるステップと；
ｃ）前記移動装置が、前記識別情報の列（SYNC1）のうちの１つ、あるいは符号列を、前記共用アクセスサブチャンネル（UpPTSSUBCH）のうちの１つの上に送信するステップと
を具えていることを特徴とするアクセスチャンネルのスケジューリング。
【請求項２】
前記符号列（SYNC1）が、ネットワークによって前記受信−送信キャリアに関連付けられた符号列グループ（GROUP UpPTSＮo）に属して、前記サービスチャンネル（BCCH）が広報した最初のメッセージ中に前記グループの識別情報を挿入することによって、前記関連付けの方法を前記移動装置に対して信号伝送することを特徴とする請求項１に記載のアクセスチャンネルのスケジューリング。
【請求項３】
前記ステップｃ）において、移動装置が、利用可能な符号列の中からランダムに選択した符号列を送信することを特徴とする請求項２に記載のアクセスチャンネルのスケジューリング。
【請求項４】
前記ステップｃ）において、移動装置が符号列を送信して、この符号列の識別情報が、前記ステップａ）で読み取った前記アクセスパラメータのうちの１つ（P3）に対応することを特徴とする請求項２に記載のアクセスチャンネルのスケジューリング。
【請求項５】
前記ステップｂ）において、前記移動装置が、前記アクセスパラメータのうちの少なくとも最初の２つ（P1、P2）を、マルチフレーム内で目印を付けたフレームの列を与える数式表現の計算に使用して、前記アクセスサブチャンネル（UpPTSSUBCH）を得て、前記マルチフレームが、前記最初の２つのパラメータ（P1、P2）の値によって制御される反復周期及び目印付けの位相を有して、前記サブチャンネルのうちの１つが、等周期かつ等位相に目印を付けたフレームのグループから成ることを特徴とする請求項３または４に記載のアクセスチャンネルのスケジューリング。
【請求項６】
前記少なくとも最初の２つのアクセスパラメータが、次の数式表現：
SFN module [P1]＝P2
中に導入される２つのパラメータP1及びP2であり、前記移動装置が、これら２つのパラメータを導入して、前記サブチャンネル（UpPTSSUBCH）のうちの１つに属するものとしてシステムフレーム番号SFNで番号付けしたフレームに目印を付けることを特徴とする請求項５に記載のアクセスチャンネルのスケジューリング。
【請求項７】
前記少なくとも最初の２つのアクセスパラメータが、次の数式表現：
SFN module [P1]≠P2
中に導入される２つのパラメータP1及びP2であり、前記移動装置が、これら２つのパラメータを導入して、前記サブチャンネル（UpPTSSUBCH）のうちの１つに属するものとしてシステムフレーム番号SFNで番号付けしたフレームに目印を付けることを特徴とする請求項５に記載のアクセスチャンネルのスケジューリング。
【請求項８】
前記少なくとも最初の２つのアクセスパラメータが、次の数式表現：
SFN module [P1]＝P2
SFN module [P1]≠P2
中に導入される２つのパラメータP1及びP2であり、前記移動装置が、これら２つのパラメータを導入して、前記サブチャンネル（UpPTSSUBCH）のうちの１つに属するものとしてシステムフレーム番号SFNで番号付けしたフレームに目印を付けて、前記アクセスパラメータが、前記２つの数式表現のいずれを使用しなければならないかの指示も含むことを特徴とする請求項５に記載のアクセスチャンネルのスケジューリング。
【請求項９】
前記最初の２つのアクセスパラメータ（P1、P2）の値が、マルチフレーム内に第２反復周期以内に配置したサブチャンネルを識別するものであり、かつ前記サブチャンネルを特徴付ける前記反復周期（P1）以上であり、前記第２反復周期またはインターリーブ周期が、前記システム情報を搬送する前記サービスチャンネルに割り当てたフレームの連続ブロックの長さに相当し、前記第２インターリーブ周期の開始フレームを、前記基地局がダウンリンク送信する前記パイロット信号（DwPTS）のバースト信号中に意図的に加えた情報を用いる既知の技法で信号伝送して、これにより、換算したフレーム番号SFN'の知識のみにもとづいて、前記共用アクセスチャンネルを確立することを可能にして、前記換算したフレーム番号SFN'の番号付けが、前記第２反復周期の始点に一致する所から始まり、前記第２反復周期と同一間隔で反復し、そして、前記共用アクセスサブチャンネルを与える前記数式表現中の前記絶対フレーム番号SFNを置き換えるものであることを特徴とする請求項６〜８のいずれかに記載のアクセスチャンネルのスケジューリング。
【請求項１０】
移動装置が、
前記ステップａ）において、第２アクセスパラメータ（SYNC1-RIP、UpPTSSUBCHＮo）を読み取り、
前記ステップｂ）において、前記第２アクセスパラメータを用いて、ネットワークによって割り当てられた前記グループ（GROUP UpPTSＮo）の前記符号列（SYNC1）を、前記符号列の独立した複数（Ｎo）の部分集合の間で共用して、前記部分集合は１つの単一要素とすることができ、前記各部分集合（UpPTSSUBCHＮo）が、前記共用のアクセスサブチャンネル（UpPTSSUBCH）に関連する
ことを特徴とする請求項３に記載のアクセスチャンネルのスケジューリング。
【請求項１１】
移動装置が、前記ステップｂ）において、
前記最初の２つのアクセスパラメータ（P1、P2）によって前記数式表現を計算して、サブチャンネルを形成する番号付けしたフレームに目印を付けて、
前記第２アクセスパラメータ（SYNC1-RIP、UpPTSSUBCHＮo）が示す前記符号列（SYNC1）を共用して、サブチャンネル（UpPTSSUBCHＮo）に関連する符号列の前記部分集合を得て、前記第２アクセスパラメータ（SYNC1-RIP、UpPTSSUBCHＮo）が、前記最初の２つのパラメータ（P1、P2）を用いて特定したのと同じアクセス型に関連する共用アクセスサブチャンネル（UpPTSSUBCH）を特定するものである
ことを特徴とする、請求項３に従属する請求項５〜１０のいずれかに記載のアクセスチャンネルのスケジューリング。
【請求項１２】
前記アクセスチャンネルのスケジューリングが、前記ステップｃ）に続いて、
ｄ）前記移動装置が、ネットワークから来る応答メッセージ（PHYSICAL INFORMATION：物理情報）を待機するステップも具えて、該応答メッセージが少なくとも次の情報要素：送信された符号（SYNC1）と相関のあるもの、前記アクセスパラメータ（P1、P2、P3、SYNC1-RIP、UpPTSSUBCHＮo）、及び進行中の手順に含まれ、かつ直後に来るステップ中に前記移動装置が送信する信号のタイミング及びパワーレベルを同期させるためのコマンド（CHANNNEL REQUEST：チャンネル要求、HANDOVER ACCESS：ハンドオーバアクセス）を含み；
ｅ）前記アクセスチャンネルのスケジューリングがさらに、前記専用チャンネル（TCH、SACCH、FACCH）のうちの１つを割り当てる手順を中止する前に、前記応答メッセージのうちの１つ（PHYSICAL INFORMATION）の受信を所定回数以内試みるまで、符号列（SYNC1）を送信する前記ステップｃ）及び前記待機のステップｄ）を反復するステップも具えていることを特徴とする請求項１〜１１のいずれかに記載のアクセスチャンネルのスケジューリング。
【請求項１３】
前記専用チャンネル（TCH、SACCH、FACCH）のうちの１つを割り当てる前に、前記移動装置が、符号列（SYNC1）を前記アクセスサブチャンネル（UpPTSSUBCH）上に送信する前記ステップｃ）を反復して、前記アクセスサブチャンネル（UpPTSSUBCH）が、前記ステップｅ）内に受信した前記応答メッセージ（PHYSICAL INFORMATION：物理情報）に含まれる前記アクセスパラメータ（P1、P2、P3、SYNC1-RIP、UpPTSSUBCHＮo）によって特定したものであることを特徴とする請求項１２に記載のアクセスチャンネルのスケジューリング。
【請求項１４】
前記アクセスパラメータ（P1、P2、P3、SYNC1-RIP、UpPTSSUBCHＮo）が、専用チャンネル（TCH、SACCH、FACCH）を割り当てる同一手順中で、異なるアクセスサブチャンネル（UpPTSSUBCH）を規定するものであることを特徴とする請求項１３に記載のアクセスチャンネルのスケジューリング。
【請求項１５】
前記移動装置に前記専用チャンネル（TCH、SACCH、FACCH）を割り当てることを完了すると、前記共用アクセスサブチャンネルを解放することを特徴とする請求項１から１４のいずれかに記載のアクセスチャンネルのスケジューリング。
【請求項１６】
請求項１に記載のアクセスチャンネルのスケジューリングを実行する移動システムであって、該システムが、
送受信基地局（BTSC）及び移動装置（UE）内に配置され、送信及び受信する信号に対応するベースバンド内にビット列を生成する手段を具えて、該ビット列が、受信−送信の無線周波数キャリアに関連する階層的なマルチフレーム内で無限に反復される連続フレームの隣接する時間スロットを占めて；
前記移動システムがさらに、前記ビット列に関連する、共用キャリア上の符号分割多重用の一組の符号と；
前記送受信基地局内に配置され、前記フレーム内に広報されるパイロット信号（DwPTS）を発生する手段とを具えて、該パイロット信号が、前記移動体の受信を同期させ、かつ前記移動装置向けに広報されるシステム情報を含むサービスチャンネル（BCCH）の、前記階層的なマルチフレーム（ハイパーフレーム）内の位置を示すものであり；
前記移動システムがさらに、前記移動装置（UE）内に配置され、前記パイロット信号（DwPTS）を識別して、指示された動作を実行する手段と；
前記基地局（BTSC）及び前記移動装置（UE）に共に含まれ、異なる情報内容を有するメッセージの交換用のインタフェース無線（Uu）において予見されるプロトコルの実行に特に適した手段と；
前記移動装置（UE）内に配置された手段であって、前記移動装置が共用し、かつ衝突が生じやすいネットワークへのアクセスチャンネル（UpPTS）上に、前記基地局（BTSC）に送信すべき識別情報列（SYNC1）を生成する手段とを具えた移動システムにおいて、
この移動システムが、
前記移動装置内に配置された手段であって、少なくともネットワークへのアクセスを要求している移動装置に専用チャンネル（TCH、SACCH、FACCH）を割り当てる手順の開始時に、前記サービスチャンネル（BCCH）から来る、あるいはネットワークが送信するメッセージから来るメッセージの情報内容を読み取る手段も具えて、前記情報内容が適切なアクセスパラメータ（P1、P2、P3、SYNC1-RIP、UpPTSSUBCHＮo）を含み；
前記移動システムがさらに、前記移動装置内に配置され、前記共用アクセスチャンネル（UpPTS）の共用アクセスサブチャンネル（UpPTSSUBCH）を規定し、前記各サブチャンネルをアクセス型に関連付ける手段と；
前記移動装置内に配置され、符号列とも称する識別情報列（SYNC1）を前記共用アクセスサブチャンネル（UpPTSSUBCH）上に送信する手段も
具えていることを特徴とする移動システム。
【請求項１７】
前記符号列（SYNC1）が、ネットワークによって前記受信−送信キャリアに関連付けられる符号列グループ（GROUPO UpPTS N）に属して、前記サービスチャンネル（BCCH）が広報する開始メッセージ中に前記グループの識別子を挿入することによって、前記関連のモードを前記移動装置に信号伝送することを特徴とする請求項１６に記載の移動システム。
【請求項１８】
前記移動装置内に配置されて符号列（SYNC1）を送信する前記手段が、利用可能な符号列の中から符号列をランダムに選択することを特徴とする請求項１７に記載の移動システム。
【請求項１９】
前記移動装置内に配置されて符号列（SYNC1）を送信する前記手段が符号列を送信して、該符号列の識別情報が、前記移動装置内に配置されてネットワークから来るメッセージの情報内容の読み取り及び記憶を行う前記手段が記憶している前記アクセスパラメータのうちの１つ（P3）に対応することを特徴とする請求項１７に記載の移動システム。
【請求項２０】
前記移動装置内に配置されて共用アクセスサブチャンネル（UpPTSSUBCH）を規定する前記手段が、前記アクセスパラメータのうちの少なくとも最初の２つ（P1、P2）を、マルチフレーム内で目印を付けたフレームの列を与える数式表現の計算に使用して、前記共用アクセスサブチャンネル（UpPTSSUBCH）を得て、前記マルチフレームが、前記最初の２つのパラメータ（P1、P2）の値によって制御される反復周期及び目印付けの位相を有して、前記サブチャンネルのうちの１つが、等周期かつ等位相に目印を付けたフレームの組から成ることを特徴とする請求項１８または１９に記載の移動システム。
【請求項２１】
前記移動装置内に配置されて共用アクセスサブチャンネルを規定する前記手段が、前記最初の２つのパラメータP1及びP2を次式：
SFN module [P1]＝P2
に導入して、前記サブチャンネル（UpPTSSUBCH）のうちの１つに属するものとしてシステムフレーム番号SFNで番号付けしたフレームに目印を付けることを特徴とする請求項２０に記載の移動システム。
【請求項２２】
前記移動装置内に配置されて共用アクセスサブチャンネルを規定する前記手段が、前記最初の２つのパラメータP1及びP2を次式：
SFN module [P1]≠P2
に導入して、前記サブチャンネル（UpPTSSUBCH）のうちの１つに属するものとしてシステムフレーム番号SFNで番号付けしたフレームに目印を付けることを特徴とする請求項２０に記載の移動システム。
【請求項２３】
前記移動装置内に配置されて共用アクセスサブチャンネルを規定する前記手段が、前記最初の２つのパラメータP1及びP2を次式：
SFN module [P1]＝P2
SFN module [P1]≠P2
に導入して、前記サブチャンネル（UpPTSSUBCH）のうちの１つに属するものとしてシステムフレーム番号SFNで番号付けしたフレームに目印を付けて、前記アクセスパラメータ（P1、P2、P3、SYNC1-RIP、UpPTSSUBCHＮo）が、前記２つの数式表現のいずれを使用しなければならないかの指示も含むことを特徴とする請求項２０に記載の移動システム。
【請求項２４】
前記最初の２つのアクセスパラメータ（P1、P2）の値が、マルチフレーム内に第２反復周期以内に配置したサブチャンネルを識別するものであり、かつ前記サブチャンネルを特徴付ける前記反復周期（P1）以上であり、前記第２反復周期またはインターリーブ周期が、前記システム情報を搬送する前記サービスチャンネルに割り当てたフレームの連続ブロックの長さに相当し、前記第２インターリーブ周期の開始フレームを、前記基地局がダウンリンク送信する前記パイロット信号（DwPTS）のバースト信号中に意図的に加えた情報を用いる既知の技法で信号伝送して、これにより、換算したフレーム番号SFN'の知識のみにもとづいて前記共用アクセスチャンネルを形成することを可能にして、前記換算したフレーム番号SFN'の番号付けが、前記第２反復周期の始点に一致する所から始まり、前記第２反復周期と同一の規則的な間隔で反復し、そして、前記共用アクセスサブチャンネルを与える前記数式表現中の前記絶対フレーム番号SFNを置き換えるものであることを特徴とする請求項２１〜２３のいずれかに記載の移動システム。
【請求項２５】
前記移動装置内に配置されて共用アクセスサブチャンネルを規定する前記手段が、第２アクセスパラメータ（P3、SYNC1-RIP、UpPTSSUBCHＮo）を用いて、ネットワークによって割り当てられた前記グループ（GROUP UpPTSＮo）の前記符号列（SYNC1）を、前記符号列の独立した複数（Ｎo）の部分集合の間で共用して、前記部分集合は１つの単一要素とすることができ、前記各部分集合が前記サブチャンネル（UpPTSSUBCH）に関連することを特徴とする請求項１８に記載の移動システム。
【請求項２６】
前記移動装置内に配置されて共用アクセスサブチャンネルを規定する前記手段が、
前記最初の２つのアクセスパラメータを用いて、前記数式表現を計算して、サブチャンネルを形成する番号付けしたフレームを識別して、
前記第２アクセスパラメータ（SYNC1-RIP、UpPTSSUBCHＮo）を用いて、前記符号列（SYNC1）を、前記符号列の独立した複数（Ｎo）の部分集合の間で共用して、前記第２アクセスパラメータ（SYNC1-RIP、UpPTSSUBCHＮo）が、前記最初の２つのパラメータ（P1、P2）を用いて特定したのと同じアクセス型に関連する共用アクセスサブチャンネル（UpPTSSUBCH）を特定するものであることを特徴とする、請求項１８に従属する請求項２０〜２５のいずれかに記載の移動システム。
【請求項２７】
前記移動装置に前記専用チャンネル（TCH、SACCH、FACCH）を割り当てることを完了すると、前記共用アクセスサブチャンネルを解放することを特徴とする請求項１６〜２６のいずれかに記載の移動システム。
【発明の詳細な説明】
【０００１】
（発明の分野）
本発明は移動無線電話の分野に関するものであり、特に、第三世代の移動システムにおける共用無線チャンネルへのアクセスの調整用のプロセスに関するものである。
【０００２】
（背景技術）
最近10年間、移動無線電話システムは、第一世代とは反対に、ディジタル変調、及びディジタル信号に変換したベースバンド信号の広範囲のディジタル信号処理（DSP）を特徴とする第二世代システムが好まれて、伝送キャリアのアナログ変調を特徴とする第一世代システムの徐々の放棄を含む不断の技術的発展がなされてきた。今や時代は、主としてサービスのユーザによる物理チャンネルへの異なるアクセス方法に関して従来のシステムとは異なる更に進歩した考えの移動体システム、いわゆる第三世代システムのサービスの到来の機が熟している。これらのシステムの設計は、送信される情報の忠実度を保存することに、また妨害目的による雑音（ジャミング）に対する所定のイミュニティ（免疫性）を保証することに適した伝送の実行可能性に関する研究に続いて軍事環境で得られたアプリケーションを利用してきた。この目標は、ベースバンド・スペクトルと比較した伝送キャリアの変調スペクトルの人工的拡大によって達成されてきた。従ってこの変調手法は、スペクトル拡散手法（拡散スペクトル）と称され、より高いチップ・レートで疑似雑音型の符号列で伝送されるシンボル（信号）の各低シンボルレート（速度）を増加させることにあり、その範囲は、伝送される情報を広いスペクトルの周波数に拡散させ、受信を正当に認可された人だけを実際にアクセス可能にする範囲である。この目的のためにスペクトル拡散受信機は、受信した信号を復調し、復調した信号と変調器で使用した符号列のローカル・コピーとの間の時間的相関付けを実施して元のデータを再構成する。復調した信号のシンボルと正しい符号列との間の数学的相関から、最大レベルの元の信号が受信機の出力に得られ、従ってこれは雑音及び妨害から区別される。民生環境では、また特に移動無線電話通信の分野では、従来の軍事目的とはまったく異なる変調のスペクトル拡散の使用が予想される。特定の使用は、異なる拡散符号によって識別される、より多くのユーザ間での同じ物理チャンネルの同時共用を可能にすることである。頭字語CDMA（Code Division Multiple Access：符号分割多重アクセス）で知られる関連技術は、その相互相関がゼロと想定できる相互に直交した拡散符号列を使用する。これは、それ自身の符号列によって特徴付けられるチャンネル上でその他チャンネルの信号が相関の結果、雑音として現れるので、伝送帯域内にまとまった異なるユーザの間の区別を可能にする。従来の狭帯域システムと比較して、このスペクトル拡散技術は、送信する信号の無線送信経路に沿った多数の反射に起因するレイリーの選択的フェージングに対する高い不感応性という追加の利点を提供し、送信する信号はこうしたフェージングを、高いフェージングに関するスペクトルの小部分が、有効な信号によって広く占められるスペクトルの極めて僅かな部分に過ぎないということから得る。
【０００３】
第三世代移動体通信システム、あるいはUMTS（Universal Mobile Telecommunication System：汎用移動通信システム）の差し迫った導入は、世界中に既存のPLMNシステム（Public LandMobile Network：公衆陸上移動ネットワーク）との互換性という多くの大きな問題を提起しており、なかでもより広範な問題は疑いもなく、全ヨーロッパ・システムのGSM900MHz（Global System for Mobile communications：移動通信のためのグローバル・システム）と、その直系の後継者DCS1800MHz（Digital Cellular System：ディジタル・セルラー・システム）である。GSMは、異なる通信システムを互換にし、これにより通信可能にするために、異なる通信システムの動作を一様にする目的を有する適当な国際機関（ETSI/ITU-T環境におけるCEPT/CCITT）によって勧告として発行された仕様に従っている。3GPP機関（第三世代共同プロジェクト）と中国の機関CWTS（中国無線通信規格）にしたがって行動している出願人は、CDMA技術に基づいた自社の第三世代移動体通信システムの開発を追求している。近未来の目標は、可能であればGSMの機能特性を保存することであるが、新しいCDMA技術の影響が必然的に特別の解を必要とするときは何時でも介入することである。従って本発明の好適例を説明する前に、本発明が解決しなくてはならない技術問題のより良い理解を可能にするために、GSMシステムの幾つかの動作上の特殊性を説明することが必要である。
【０００４】
図１は、GSMまたはDCS型の移動システムの機能的アーキテクチャの簡潔ではあるが明瞭なブロック図を示しており、同図は、説明すべき本発明が存在するCDMAシステム（TD_SCDMA）を説明するためにも完全に使用可能である。図１において携帯型電話セット、また車両電話セットは、区域上に展開する関連送受信基地局BTS（Base Transceiver Station）に属する関連TRX送受信機（トランシーバ、図示せず）に無線接続した、今後は移動装置とも呼ばれる記号MS（Mobile Station：移動局）によって指示される。各TRXは、アンテナの構成がBTSによってサービスされるセルの均一な無線サービス範囲を保証するアンテナ群に接続される。移動無線サービスに利用可能なすべてのキャリアに一緒に係合するＮ個の隣接セルのグループは、クラスタと呼ばれ、隣接するクラスタでは同じキャリアが再使用可能である。BTS型の、より多くの基地局は、BSC（Base Station Controller：基地局コントローラ）で示される共通基地局コントローラに物理キャリアを介して接続される。BSCによって一緒に管理される、より多くのBTSは、BSS（Base Station System：基地局システム）で定義される機能的サブシステムを形成する。より多くのBSS（BSC）は、直接的に、あるいは関連する使用を最適化する64kbit/s接続ライン上で16または8kbit/sチャンネルのサブ多重化を可能にするTRAUブロック（Transcode and Rate Adapter Unit（符号変換とレートのアダプタ装置）を介して、移動体切換えセンタMSC（Mobile Switching Center：移動体切換えセンタ）に接続される。TRAUは、音声の64kbit/sから16kbit/sまたは8kbit/sの流れで音声のアドレス指定を可能にするGSMフルレートの13kbit/s（またはGSMハーフレートの6.5kbit/s）への符号変換を行う。
【０００５】
ＭＳＣブロックは今度は、地上ネットワークPTSN（Public Switched Telephone Network：公衆電話交換網）及び／またはISDN（Integrated Services Digital Network：統合サービス・ディジタル網）の切換えセンタに接続される。図には見えないHLR、VLRと呼ばれる二つのデータベースが一般にMSCに配置され、第１のデータベースは各移動体MSの不変データを含んでおり、第２のデータベースは可変データを含んでおり、これら二つのデータベースは、システムが異なるヨーロッパの国々に広がる区域上で広範囲に移動するユーザを追跡することを可能にするように協同動作する。BSC局コントローラはまた、マン・マシン対話を可能にするパーソナルコンピュータLMT（Local Maintenance Terminal：ローカル保守端末）と、監視、管理警報、トラフィック測定の評価等のO&M機能（Operation & Maintenance：運用と保守）と呼ばれる機能を実行する運用保守センタOMCと、最後にパケット交換データサービス用のGSM04.64に指定されているSGSNブロック[Serving GPRS（General Packet Radio Service）Support Node]（[サービスするGPRS（汎用パケット無線サービス）サポート・ノード]）とに接続される。
【０００６】
図には主要な機能ブロック間のインタフェースの限界を定める縦の破線が見える、すなわちMSとBTSとの間の無線インタフェースはUmで示し、BTSとBSCとの間のインタフェースはA-bisで、BSCとTRAUとの間のインタフェースはA-subで、TRAUとMSCとの間または直接的にこの最後のものとBSCとの間のインタフェースはAで、BSCとLMTとの間のインタフェースRS232はTで、BSCとOMCとの間のインタフェースはOで、最後にBSCとSGSNとの間のインタフェースはGbで示してある。上記のインタフェースは、下記のGSM勧告：04.01(Um)と08.51(A-bis)と08.01(A)と12.20および12.21(O)と04.60(Gb)とに記載されている。
【０００７】
図２は、図１のシナリオと比較して差し迫った、より進歩したシナリオを示している。図２では、GSMシステムのBTSによってサービスされる少なくとも一つのセルは、本願の発明目的を含む3G（第三世代）と呼ばれる新システムの基地局BTSCによってサービスされるセルに隣接するように示されている。異なるブロック間の接続ラインには、関連インタフェースの種類が示されている。この図で筆者等は、BTS局とBTSC局の両方に接続された局コントローラ・ブロックBSCCに注目することができる。このBSCCブロックは、GSMに対して適切に修正された局コントローラ、ただし新しいBTSC局（破線部分は修正の存在を示す）をサポートできるBSCを表す。BSCC新BTSCとの間の接続は、A-bisに類似のインタフェースを利用する。BTSCと移動体装置との間の無線インタフェースは、GSMのUmインタフェースと区別するためにUuと称する。同じ目的のために移動装置は、異なる名前の下で、異なる設計の設定に一貫性のある無線インタフェースと移動装置との異なる説明を意味するようにUE（User Equipment：ユーザ装置）と呼ばれる。図２のシナリオから論じ得ることは、デュアルモードと移動体ユーザ装置UEの多バンド動作とが導出される正常なシステム内ハンドオーバをサポートするBSCCブロックによってサポートされる二つのシステムGSM、3G間のハンドオーバの可能性である。
【０００８】
移動体システムの設計において、主として設計手法に影響を与える態様は、異なるユーザに対して利用可能な帯域を共用するために物理チャンネル上で実現しようとしているアクセス型（アクセスの種類）の選択である。より良く知られたアクセス手法は、周波数分割多重アクセスを実行するFDMA手法（周波数分割多重アクセス）と、時分割多重アクセスを実行するTDMA手法（時分割多重アクセス）と、符号分割多重アクセスを実行するCDMA手法（符号分割多重アクセス）と、空間分割多重アクセスを実行するSDMA手法（空間分割多重アクセス）とである。
【０００９】
FDMA手法では、各ユーザは、サービスによって要求されるときは何時でも他の如何なるユーザとも共用されない自分自身の周波数チャンネルを利用でき、SCPC（Single Channel Per Carrier：１キャリア当たり１チャンネル）と呼ばれるこのケースは、第一世代のアナログ・システムでは代表的なものである。TDMA手法では、全無線スペクトルは、時間スロットと呼する異なる時間に、より多くのユーザに割り当てられる。１つの時間スロット中は、１ユーザだけが送信及び／または受信可能である。CDMA手法では、全無線スペクトルは、同じ時間に、より多くのユーザに割り当てられるが、この手法は前に説明されている。SDMA手法では、全無線スペクトルは、CDMA手法と同様に同じ時間に、より多くのユーザに割り当てられ、異なるユーザ間の区別は、無線信号の異なる到来方向の認知によって行われる。
【００１０】
同じ移動体システムにおいて上記のアクセス手法は、別々に使用するか、可能な協同作用を利用するために一緒に使用することができる。GSMシステムは、混合手法FDMA-TDMAを使用するが、これは純粋なFDMAと比較してキャリアの過度の使用を避け、一方、純粋なTDMAに対しては長すぎて推奨できないフレームの構成を回避する。新しい3Gシステムは、GSMの利点をCDMA手法の利点に関連するFDMA-TDMA-SCDMAアクセスを使用する。GSMシステムと新3Gシステムの両者は、既存の多重化にSDMA多重化を追加して、インテリジェント・アンテナの利用から好結果を得ることができ、これは確かに3Gシステムに適用される。
【００１１】
PLMNシステムでは、ユーザは、基地局から情報を受信しながら同じ局に情報を送信できる。この通信モードは、全二重と呼ばれ、周波数フィールドと時間フィールドの両者の手法を使って動作させることができる。GSMで使われるFDD手法（Frequency Division Duplexing：周波数分割二重）は、アップリンク経路（アップリンク）とダウンリンク経路（ダウンリンク）とで異なる帯域を使用する。これら二つの帯域は、適切な無線周波数フィルタリングを可能にする不使用のギャップバンドによって分離される。TDD手法（Time Division Duplexing：時分割二重）は、２つの伝送方向に多重化したすべてのチャンネルに関して、アップリンクとダウンリンクとで異なるサービス時間を使用する。もし２つのサービス時間の間の時分割が小さければ、送信と受信はユーザにとって同時に見える。本発明が言及する新システム3Gは、TDD手法を使用する。
【００１２】
固定電話網によって提供されるサービスの品質に匹敵し得るサービスの品質基準をユーザに提供しようとしている如何なる公衆移動システム（PLMN）も必然的に、複雑な信号方式に適合するであろう。GSMシステムでは筆者等が注目し得たように、FDMA-TDMA手法のために特別な解を使用して問題が解決されてきた。これらの解は、少なくとも主要な影響を有する無線インタフェースに関する、CDMA手法による電話システムに直接移行することはできない。筆者等は、第三世代移動体システムが夜明けにあり、従って適当な信号方式の定義に関する幾つもの情報が自分等自身のシステムの定義に参加している会社の限られた委員会内だけに流布されており、まだ公共物と考えることはできない。それから国際的に共有される意見に基づいて、提供サービスの多様性と品質とに関して最も進歩したシステムであるGSM（またはDCS）システムについて一般的な見方を与えることは有用である。図３〜８によってサポートされる次の考慮事項は、チャンネル多重化の異なるCDMA手法に加えて、特に移動体による無線チャンネルへのアクセスとハンドオーバとに関する信号送出チャンネルの構成及び使用のために本発明が卓越しようとしているGSMシステム（またはDCSとの区別なしに）に向けられている（それ自体で考えられる特性は既知と考えることができる）。
【００１３】
GSM900システムでは利用可能な帯域は、下記のように細分される：
・アップリンク方向（MS→BTS）のサブバンドは880〜915MHz、
・ダウンリンク方向（BTS→MS）のサブバンドは925〜960MHz、
・ギャップバンド10MHZは915〜925MHz；チャネリング・ペースは200kHz；１サブバンド当たりのキャリア数は173；１キャリア当たりの時間スロット数は8；フルレート・チャンネルの数は1384；ハーフレート・チャンネルの数は2768。
【００１４】
DCS1800システムでは利用可能な帯域は、下記のように分割される：
・アップリンク方向（MS→BTS）のサブバンドは1710〜1785MHz、
・ダウンリンク方向（BTS→MS）のサブバンドは1805〜1880MHz、
・ギャップバンド20MHzは1785〜1805MHz；チャンネルバンドは200lHz；１サブバンド当たりのキャリア数は374；１キャリア当たりの時間スロット数は8、フルレート・チャンネルの数は2992；ハーフレート・チャンネルの数は5984。
【００１５】
図３は、８つの時間スロットTS0、TS1、TS2、TS3、TS4、TS5、TS6、TS7、あるいは１セル内で使用するキャリアの中の一般キャリアの使用のために不確定的に反復される基本フレーム内の時間スロットの順次構成を示す。キャリア及び時間スロットの集合は、論理的観点からチャンネルを特徴付ける情報をサポートするように予定されたUmインタフェースの物理チャンネルを形成する。図３の基本フレームは、GSMシステムで駆動されるFDD対称全二重多重化である単一の伝送方向から到来するすべての時間スロットを含む。
【００１６】
図において筆者等は、時間スロットの可能な内容に対応する４つの異なるバースト信号形状に注目することができる。一連のフレームは、GSMシステムで使われるすべてのキャリアによって見られる、より多くの階層レベルで構成される。１つのBTSによって伝送されるすべてのキャリアは、相互に同期したフレームを搬送し、それによって物理チャンネルに割り当てられたキャリアの互換性である周波数ホッピングを可能にし、システムの柔軟性を向上させ、そして隣接セル間の同期化を単純にする。すなわち図の下から上に向かって始めて、156.25×3.69μsビット継続時間に相当する0.577msの継続時間を有する各時間スロットは、142の有用ビットと３つの先頭ビットTBと３つの後部ビットTBとを含んだ情報バースト信号と、8.25ビットの長さの、情報を持たないガード時間GPとを担持している。バースト信号には、長さに応じて４つの異なる型がある（GSM05.02の段落5.2を参照のこと）。
・通常バースト信号。これは、2×58の有用ビットと、含まれた冗長度と、GMSK方式（Gaussian Minimum Shift Keying）に従って変調された無線信号の正しい復調のために有用な無線チャンネルのインパルス応答の推測に使われるミッドアンブル（本文）位置の学習列の26ビットとを含む。異なるミッドアンブルは、特にSDMA手法の使用に関して予測される。通常バースト信号は、トラフィック・チャンネルとこれに関連する信号送出チャンネルとで使用する。音声の場合、2×58の有用ビットは、13kbit/s音声符号器の出力に20ms毎に生成される各々260ビットのブロックの複合操作の最終結果でsssある。GSM05.03の大部分に記載されているこの操作は、下記のステップ：すなわちビット数を260から456に増加させる冗長度を導入するブロック符号化および畳み込み符号化のステップと、再順序付けして、パーティショニング（分割）して、より多くのバースト信号に亘ってバースト誤りを広げるために８つの時間スロットの深さで対角インターリーブして、スチール・フラグの付加および2×58ビットのサブブロック対の取得をするステップと、暗号化すなわち１ビットずつ暗号化の流れに合計するステップと、アクセス・バースト信号を得るためにミッドアンブルとビットTBとの追加によりバースト信号を構築するステップとを含む。後続ブロックと先行ブロックのビットでインターレース的に織り交ぜられた、より多くのバースト信号に亘る符号化ブロックのビットの分散は、バースト信号の転訛の場合に１ブロック当たりのビット損失を減らし、畳み込み復号が原点情報を再構築する可能性を改善する。
・周波数修正バースト信号。このバースト信号は、このバースト信号が受信されたときに移動装置のクロック周波数の修正を可能にするために論理レベル「１」の142の有用ビットを含む。
・同期バースト信号。これは、ミッドアンブル位置の64ビット「同期列」と2×39の暗号化ビットとを含む。このバースト信号は、先行バースト信号から８つの時間スロットだけ遅れて移動装置によって受信され、したがって既に自分自身のクロックの周波数を修正した移動体は、受信したバースト信号中の「同期列」の正しい位置とその時間スロットの開始時点とを弁別できる。暗号化ビットは、フレーム番号FN（Frame Number）を再構成して同期化手順を完了させるために必要な情報を持っている。
・アクセス・バースト信号。これは、開始位置の41ビットの同期列と、それに続く36の暗号化ビットとを含んでいる。ガード期間GPは、58.25ビットの継続時間を持っており、更に７つの先頭ビットTBと３つの後部ビットTBとが存在する。短い型のこのバースト信号は通常、最初の信号をネットワークに送るために、例えば発信された呼びまたはハンドオーバにおけるアクセスを実行するために移動体によって使用されるので、これは、フル型の先行バースト信号よりも短い継続時間を持っており、またその結果、使われなかった時間スロットの部分が大きくなる。この性質は実際に、一般に無線局と移動体との間の変化する距離による伝搬遅延によってタイミングが変わるので、進行中の通信を妨害する危険がある隣接時間スロットの位置の無効化をせずに、完全には整合していないタイミングで移動体がネットワークにそのメッセージを送ることを可能にする。
【００１７】
図３の上部に向かって続けると、継続時間4.615msの基本フレームTDMAは８つの時間スロット（TS0...TS7）を含むことが注目できる。同じ情報の流れのフレームでは、異なる２つの連続した多（マルチ）フレームが予測され、その中から継続時間120msのトラフィック・多（マルチ）フレームは26基本フレームのTDMAを含んでおり、また継続時間253.38msの制御マルチフレームは51基本フレームのTDMAを含んでいる。これら２つのマルチフレームは、1326基本フレームのTDMAからなる6.12秒の継続時間の一意のスーパーフレームを協同して形成し、また最後に2048の連続したスーパーフレームは、継続時間3時間28分63秒760ミリ秒の2,715,648基本フレームのTDMAのハイパーフレームを形成する。セル内に無線拡散したフレーム番号FNは、ハイパーフレーム内のフレーム位置に関連する。
【００１８】
図４は、図３のフレーム構造TDMAによってサポートされる論理チャンネルの構成を示す。図４を参照して筆者等は、予想される論理チャンネルの組が１クラスのトラフィック・チャンネルTCHと１クラスの制御チャンネルとを含むことに注目する。TCHチャンネルは、関連時間スロットに対して、あるいは使用されるチャンネル符号化に従って単一の論理チャンネルまたは２つの交互のリンクが割り当てられることに依存して、フル・レートTCH/F型またはハーフ・レートTCH/H型となる。
【００１９】
制御チャンネルのクラスは、下記の主要なチャンネル：すなわち広報チャンネルBCCH（Broadcast Control CHannel）と、共通制御チャンネルCCCH（Common Control CHannel）と、幾つかの専用制御チャンネルDCCH（Dedicated Control CHannel）とを含む。BCCHチャンネルは、３つのサブチャンネル：狭義のBCCHサブチャンネルと同期化サブチャンネルSCH（Synchronization CHannel）と周波数修正チャンネルFCCH（Frequency Correction CHannel）とを含む。CCCHチャンネルは、３つのサブチャンネル：共用アクセス・サブチャンネルRACH（Random Access CHannel）と、許可サブチャンネルAGCH（Access GrantCHannel）と、ページング（呼び出し）・サブチャンネルPCH（Paging CHannel）とを含む。専用制御チャンネルDCCHは、２つのクラス、すなわち「スタンドアロン」チャンネルSDCCH（Stand-alone Dedicated Control CHannnel）のクラスと、トラフィック関連チャンネルACCH（Associated Control CHannel）のクラスとに分割できる。この後者のクラスは、それぞれ低速の関連SACCH（Slow ACCH）と高速のFACCH（Fast ACCH）という２つのチャンネル型を含む。チャンネルの一般的な列挙の後で、これらをその構成とアプリケーションの観点から吟味することは価値がある。
・TCH/Fトラフィック・チャンネルは、発信された呼びにおいてネットワークへのアクセス手順を完了した、または終了した移動装置に割り当てられる双方向チャンネルであって、ハンドオーバまたは周波数ホッピングを受ける。これらは、13kbit/sの符号化音声またはデータからなるペイロードを最高9.6kbit/sのネットのビットレートを有する回路またはパケット交換で搬送するために通常のバースト信号を使用する。
・トラフィック・チャンネルTCH/Hは、最高4.8kbit/sのネットのビットレートを有する回路またはパケット交換で6.5kbit/sの符号化音声またはデータを伝送する。前のチャンネルと比較して、これらのチャンネルは低品質である。
・制御チャンネルBCCHは、キャリアf0、前記キャリアBCCHの時間スロット0を利用するポイント−多ポイントのダウンリンク単方向チャンネルである。このチャンネルは、セル内で唯一であって、ハンドオーバも周波数ホッピングも受けない。狭義のチャンネルBCCHは、例えばセル内のチャンネル構成、レベル測定を行う隣接セルのBCCHキャリアのリスト、ロケーション・エリア（存在領域）の識別情報、セル選択再選択動作用と完了セル識別用の幾つかのパラメータ、アイドルモードの移動装置の操作用パラメータ、最後にRACHチャンネル上で移動装置のアクセス試行をスケジュールするために使われるいわゆるRACH CONTROLパラメータといった一般用途のシステム情報を拡散するために使用される。周波数修正バースト信号と同期バースト信号とによってそれぞれ担持されるFCCHチャンネル及びSCHチャンネルは、移動装置自身のキャリアの周波数とローカルに生成されたフレームの開始点（時間スロット0の開始点）とハイパーフレームにおけるフレームの位置とを同期させるために順次に移動装置によって使われる。TDMAシステムでは、バースト信号が隣接時間スロットでの妨害発生を受けて割り当てられた時間スロット内に丁度入ることは基本的なことであり、このことは移動体の移動中もチェックしなくてはならない。この目的のために、BTSは、ADAPTIVE FRAME ALLIGNMENT（勧告GSM04.03に記載されている）と呼ばれる手順を起動するが、これによってBTSは、BTSからのMS距離の可変性による往復の伝搬遅延の可変性にもかかわらず、移動体による伝送に対する3つの時間スロット分の一定した遅延を以て、アップリンク・フレーム上の時間スロットを受信するために、伝送進みの程度について移動体に命令する。SCHチャンネルは、隣接セルのBCCHキャリアからサービスしているセルのBCCHキャリアを識別するために移動体にとって有用なセル識別情報を持ったBSICフィールド（Base Station Identity Code）を含んでいる。制御チャンネルCCCHは、セル全体にサービスする双方向チャンネルであって、ハンドオーバも周波数ホッピングも受けず、またf0キャリアの時間スロット0を使用する。
・RACH共用アクセス・チャンネルは、時間的にランダムに分布している移動装置のアクセス要求をネットワークに向けて送り出すために唯一アップリンク方向に存在しており、アクセスバースト信号によって搬送される。多重アクセスは、例えばGSM04.08に記載の「スロットALOHA」手順を介して解決すべきチャンネルの所有権に関する論争を引き起こすことがある。・ポイント−多ポイント型の２つのチャンネルSGCH及びPCHは、ダウンリンク方向にだけ存在し、それぞれRACHチャンネル上の移動装置によってなされるアクセス要求に対するネットワークの応答と、終了する呼びの手順においてネットワークから移動装置に向けて送られるいわゆるページング・メッセージとを搬送する。
・専用制御チャンネルDCCHは、ポイントツーポイント型の双方向チャンネルであって、ハンドオーバと周波数ホッピングとを受ける。これらのチャンネルは、333.3〜8000bit/sの範囲のビットレートで信号を搬送できる。
・「スタンドアロン」チャンネルSDCCHは、加入などといったネットワーク機能、及びTCHチャンネル割当てに対する呼びの制御のための信号を搬送する。移動体のネットワークへのアクセスの直後に、１つのSDCCHチャンネルが割り当てられる。
・チャンネルACCH、SACCH、FACCHはそれぞれ、関連のトラフィック・チャンネルの同じマルチフレームに含まれる。特に、
・SACCHチャンネルは、アップリンク方向には、サービス中のBTSと隣接セルとによって受信された信号に対して移動体によって行われる伝送測定を搬送し、ダウンリンク方向には、関連するTCH（最初の）SDCCHチャンネルに関するタイミング進み、パワー制御等といった移動体のための種々のコマンドと隣接セルの情報とを搬送する。
・FACCHチャンネルは、それ自身のチャンネルTCH（ビットスチール）のビットのインターリーブを介して取得され、したがってSACCHチャンネルの速度よりも速い速度要件による信号送出のために使用できる。
【００２０】
図５は、数個のトランシーバを装備した中規模／小規模BTSの場合と中規模／大規模BTSの場合のマルチフレーム内の論理チャンネルの２つの可能な構成を示す。この図は、説明がなくても分かるようにする説明文を含んでいる。26トラフィックフレームと関連信号マルチフレーム1)、1')は、２つの場合で同じであることは無論であるが、51制御フレームのマルチフレームでは異なる。マルチフレーム1)、1')のフレーム・アイドル(-)の期間中、移動装置は、隣接セルのBCCHキャリアに対してパワー測定を行い、また可能なハンドオーバを考慮して事前同期化（周波数、時間スロット、フレーム番号、BSIC）のために、関連するFCCH及びSCHを取得する。これらの測定は、隣接セルを監視するチャンネルが取得ウィンドウ内でシフトするという保証が存在するように、２つのマルチフレームの長さ26及び51がこれらの間の素数によって表されるという事実によって可能である。時間スロット0のダウンリンクで放射されるチャンネルFCCH及びSCHは常に、約45.6msの間隔で互いに続く２つの隣接フレームを占めることもまた注目できる。この約45.6msという時間は、ネットワークに対して初めてアクセスを行う、あるいはアイドル状態に留まる移動体の同期化要件に従って適度に短い時間である。アクセスチャンネルRACH（CCCH）に関して筆者等は、これらのチャンネルがアップリンク・マルチフレーム3)全体またはアップリンク・マルチフレーム5)の大部分を占めると見ている。これは、これらのチャンネルがそれぞれアップリンク方向のTS0グループの単独チャンネルであるという理由で可能である。ダウンリンク方向の残りの時間スロット0チャンネル、すなわち狭義のBCCHとCCCH（AGCH、PCH）は、CCCHグループを優先させた４つの連続する基本フレームのグループに存在する。小規模BTSと比較して、中規模／大規模BTSは、２つの後続のマルチフレームへの制御チャンネル配分を必要とする。
【００２１】
例えば図５に示すように構成された無線インタフェースUmの制御論理チャンネルは、移動体とネットワークとの間で交換されるメッセージとして２つの伝搬方向に情報を経路指定する。この情報は、Umインタフェースのフレームを通って、多少とも図１、２に見られるネットワークの残り部分に関係する。複合移動システムGSMの正常な動作を可能にするために、適当なプロトコルによってメッセージの形状と流れの両者を規制することは必要である。
【００２２】
図６は、種々のインタフェースに存在する電話信号を管理するためにGSMシステムによって使用される数個の階層レベルを有するプロトコルの図を示す。大部分に関してこのプロトコルは、移動アナログシステムTACS及びPTSN電話システムで現在使用されているプロトコルから得られ、これを無線インタフェースUmの要件及びユーザの移動から導き出される要件について調整する。幾つかのブロック（PHL、MAC、RRM）は、3Gシステムが所定のプロトコルの適当なバージョンを使用することを示すために破線でマークしてある。レベル構造は、信号プロトコル機能を制御平面（C-Plane）上の重なり合った複数のグループに細分して、これらを一連の独立したステージとして記述することを可能にしている。各レベルは、より低いレベルによって提供される通信サービスを利用し、それ自身のサービスをより高いレベルに提供する。上記のプロトコルのレベル１は、インタフェースが異なる２つの側に接続するために使用する物理キャリアの種類に密接に関係し、これは、インタフェースUmへの無線接続とA-bisおよびAインタフェースへの地上接続とでビット流を転送するために必要な機能を記述している。地上接続のレベル１は、CCITT勧告G.703及びG.711とに記載されている。レベル２は、接続点間に誤りなしに仮想キャリアを実現する目的でメッセージの正しい連続した流れを制御する機能（トランスポート機能）を作り出す。レベル３（ネットワークレベルと呼ばれる）と更に高いレベルは、主要なアプリケーション処理の制御のためのメッセージの処理機能を作り出す。付録ＡＰＰ１は、図６に用いる用語を挙げた凡例と、それぞれレベル２（表Ａ）及びレベル３（表Ｂ）に関係する図６のブロックの機能を記述した２つの表とを含む。
【００２３】
現在、GSMシステムの動作を助ける主要な要素が導入されており、MS移動装置セットの動作によって始動される幾つかの典型的な機能を簡潔に吟味することは価値あることであり、これらの機能の実行方法を、本発明の内容を指す同様な機能の実行方法と比較していく。
【００２４】
移動体通信システムGSMでは移動装置MSは、「アイドルモード」でも、すなわち専用チャンネルが移動体に割り当てられていないときにも所定の動作を実行する。実際に移動体は、最初のステップとして移動体の移動中に関連すべきセルを絶えず選択するためにネットワークを介して通信できる必要がある。上記の動作は、勧告GSM03.22及び05.08に記載の「セル選択」機能に入っている。追加の要件は、可能な終結呼びに応答するページング・メッセージを監視することである。
【００２５】
「セル選択」の場合、移動体は関連すべきセルを選択し、クラスタ内のこの移動体の位置に、より近い所定数のセルから受信可能なBCCHキャリアの走査を行う。これは、すでに説明された方法に従って、同期化及びBCCH広報チャンネルの内容の読取りを介して行う。各BCCHキャリアに関して移動体は、少なくとも6つのよりお気に入りのセルのリストを更新するために受信信号のパワー及び品質を測定する。このリストの最初のセルは、最も信頼できるセルであってこの移動体が接続されるセルである。MSのネットワークへのアクセスは、下記の場合：すなわち、
１．発信呼びにおけるユーザの自己発信の場合、
２．終結呼びにおけるネットワークの信号に対するMSの自己発信の場合、
３．ハンドオーバを簡潔に記述したハンドオーバ・コマンドの伝送によるネットワークの信号に対するMSの自己発信の場合、
４．今後は取り扱わない例えば加入、認証などといった特定の機能の場合の、ユーザのアクションでもネットワークのアクションでもないアクションのない、MSの自己発信の場合に発生する。
上述のアクセスに続いて専用チャンネルの確立との接続が行われるとき、ネットワークは、RR接続での暗号化を定義するハンドシェーク段階を確立する。この暗号化方法は、GSM03.20に記載の暗号化アルゴリズムA5（暗号化方法）を使用する。この方法によれば、DCCHまたはTCH上で伝送されるレベル１データフローは、従属条項4.3に指定されたように決められた「暗号化キー」と呼ばれるキーを使用するアルゴリズムA5によって生成される暗号化ビットストリームによってユーザのデータフローを１ビットずつ合計することによって得られる。正しい同期化のためにアルゴリズムA5は、システム・フレーム番号TDMA FRAME NUMBERを知る必要がある。暗号解読方法（Deciphering method）は、受信信号に対して暗号化方法の同じ段階を逆の順序で適用する。
【００２６】
セル間ハンドオーバ実行プロトコルは本発明の一つの目的であるから、背景技術によるハンドオーバ・アプリケーションの例として前述の諸点の中から点３だけを吟味する。
【００２７】
図７に、移動体が呼びを発信して、結果が成功の場合に関連するメッセージ順序の図を示す。その順序は、
・ネットワークにアクセスしたい移動体が、アクセスのバースト信号に含まれるCHANNNEL REQUEST（チャンネル要求）を制御チャンネルRACH上に送信する。衝突の確率を最小にするために、バースト信号は８ビットのパケット１つのみをアクセスに使用し、一部のビットはランダムに割り当てる。これらのビットが継続して、要求を、戻り方向のメッセージを次に区別するためのアドレスとしてマークする。（MSは、専用チャンネルのアドレスへの割り当てを行った後に、完全な識別を送信する。）移動体において可能なプロトコルに関係して、サブレベル３  CM（図６）がセットアップ（設定）要求を受信して接続MMを初期化する。サブレベルMMはトランザクション（処理）の識別子を割り当てて、RR接続の開始を要求する。
ｘ・CHANNNEL REQUEST（チャンネル要求）に対する応答において、ネットワークはIMMEDIATE ASSIGNMENT（即時割り当て）メッセージをAGCHチャンネル上に送信して、このメッセージの内容は、チャンネル記述、時間進み（TIME ADVANCE）、最大送信パワー、前記アクセスバースト信号を受信したフレーム番号（FRAME NUMBER）、及びAGCHチャンネル上の同じメッセージを待機しているすべての移動体が、自分が選択されているか否かを知ることを可能にする基準を含み、移動装置は前記時間進みに従って、前記即時割り当て（IMMEDIATE ASSIGNMENT）メッセージに続く時間スロットを送信しなければならない。
・移動体は"即時割り当て（IMMEDIATE ASSIGNMENT）"メッセージを受信して、これに従って動作して、その後にサービス要求メッセージCMサービス要求（CM SERVICE REQUEST）をSDCCH上に転送し、このチャンネルはTCHチャンネルの割り当てまで使用する。しかし、"直接TCH割り当て"モードが有効である場合には、SDCCHチャンネル上で行われる信号伝送の全体をTCHチャンネル上で行うことができる。
・ネットワークは、正しいIMSI（International Mobile Subscriber Identity：移動体識別符号）をチェックしている移動体の同一性を認証するためのハンドシェークの段階を確立する。
・ネットワークは、RR接続上の暗号化を規定するためのハンドシェークの段階を確立する。この暗号化法は、GSM 03.20に記載されている暗号化アルゴリズムA5（暗号化法）を使用する。この方法によれば、DCCH上あるいはTCH上で送信されるレベル１のデータ流は、ユーザのデータ流を、副節（サブクローズ）4.3の仕様によって規定された"暗号化キー"と称するキーを用いるアルゴリズムA5によって発生する暗号化ビット流と共に、ビット毎に総計して得られる。正しい同期のために、アルゴリズムA5は時分割多重フレーム番号（TDMA FRAME NUMBER）を知る必要がある。暗号解読法は、受信した信号上の暗号化法と同じ段階を、逆の順序で適用する。
・移動局MSは、設定（SETUP）メッセージの前に、ネットワークに呼びを送信することを開始して、ネットワークは呼びの進行（CALL PROCEEDING）メッセージでの応答を開始してこの呼びを受理する。
・ネットワークは、TCHチャンネルの割り当て用の割り当てコマンド（ASSIGNMENT COMMAND）を、関連するSACCH及びFACCHと共にMSに送信する。移動体は割り当てモードで応答する。
・ネットワークは警告（ALERTING）メッセージを移動体に送信して、呼びのあった位置でユーザの警告手順を開始したことを知らせる。
・ネットワークは接続（CONNECT）メッセージを移動体に送信して、遠隔端末において呼びが受理されて、ネットワーク内の接続が確立されたことを知らせる。
・移動体は接続確認応答（CONNECT ACKNOLEDGE）メッセージで応答して、呼びが会話状態に入る。
【００２８】
図８に、移動体に向かって終結する成功の呼びの場合に関連するメッセージ順序の図を示す。この手順は、前の手順と極めて似ており、相違点は次の通りである。
・ネットワークが、呼び出し（ページ）要求（PAGE REQUEST）メッセージを呼び出し（ページング）チャンネルPCH上に送信する。
・移動体が、制御チャンネルRACH上のアクセスバースト信号に含まれるチャンネル要求（CHANNNEL REQUEST）で応答する。
・チャンネル要求（CHANNEL REQUEST）に対する応答において、ネットワークが、物理情報（PHYSICAL INFORMATION）を含む即時割り当て（IMMEDIATE ASSIGNMENT）メッセージをAGCHチャンネル上に送信する。
・移動体が、呼び出し結果（PAGE RESULT）メッセージをSDCCHチャンネル上に送信するサービスを要求して、移動体はTCHの割り当てまでSDCCHチャンネルを使用する。
・既に記述した認証及び暗号化／暗号解読の段階が、これに続く。
・ネットワークがSETUPメッセージで、呼び開始のハンドシェーク段階を開始して、このメッセージに対してMSが呼び確認（CALL CONFIRMATIOM）メッセージで応答する。
・MSが呼び確認の警告（ALERT）メッセージを送信する。
・今度は、MSが呼び受理（ACCEPTED）のハンドシェーク段階を開始する。
【００２９】
各瞬時には、移動体及びネットワークが共に、切断（DISCONNECT）メッセージを送信して呼びの解放を要求することができる。例えば、MSが完了を発信した場合には、ネットワークが解放（RELEASE）メッセージで応答してトランザクションの終了を要求する。移動体は呼びの解放を解放完了（RELEASE COMPLETE）メッセージで確認する。CMサブレベル（図６）のすべての接続を完了すると、ネットワークは関連するトラフィック及び割り当てた信号チャンネルを解放する。
【００３０】
最後に、GSMシステムの３つの重要な機能を記述し、これらは"適応フレームアライメント（整列）（ADAPTIVE FRAME ALIGNMENT）"、"パワー制御（POWER CONTROL）"、及び"ハンドオーバ（HANDOVER）"機能と称され、移動装置及び／またはBTSによる特定の送信測定の実行にもとづくものである。この関係の情報は、GSM 05.08勧告によって与えられる。これらの３つの機能は、"不連続送信（Discontinuous Transmission）"と称する特定機能を作用させる際にも実行し、この特定機能によってキャリアが変調される場合のみに、例えばTCHチャンネル上で何らかの動作が進行中である場合のみに、移動体及びできればBTSによるキャリア（搬送波）送信が可能になる。この最後の機能の目的は、ネットワーク内の平均妨害レベルを低減して、同時に、移動装置の動作の自律性を増加させることにある。"不連続送信（Discontinuous Transmission）"の場合には、SACCHチャンネル上の104フレームのうちの常に確実に存在する12フレームのみについて、測定を行って平均する。
【００３１】
MSがダウンリンク方向に実行する送信測定は、使用中のTCH及びSDCCHチャンネルのレベル及び品質、及び隣接セルのBCCHキャリアのレベルが関係する。上述した測定は、SACCHチャンネル上でBTSに送信する値を生成する。特に、TCH/Fチャンネル上でこの測定を実行する各MSが、約480msの時間に相当する104の基本フレームのSACCHマルチフレーム（多フレーム）に拡張した測定値の平均を計算して、この平均は後続のマルチフレームのSACCHチャンネル内に含める。
【００３２】
BTSがアップリンク方向に実行する送信測定は、使用中のTCH及びSDCCHチャンネルのレベル及び品質、タイミング進み（TIMING ADVANCE）パラメータの値、及び自由な時間スロット上の妨害が関係する。またこの場合には、測定値を参照するMS毎に測定値をSACCHマルチフレーム上で平均して、BTSによって計算した平均値がMSによって計算した平均値に関連して、これら２つの平均値を共に、フレーム機能において使用するインタフェースA-bisを通してBSCに送信する。ただしこの送信は、パワー制御（Power control）機能及びハンドオーバ（Handover）機能、そして時間進み（TIMING ADVANCE）に限る。
【００３３】
パワー制御機能は、送信機のパワーを、前に設定した幅を有するステップ分だけ徐々に変化させることにある。パワー制御はBSCによって制御され、移動装置上で強制的に実行され、随意的にBTSのTRX上で実行される。パワー制御は、トラフィックTCHチャンネル及び制御SDCCHチャンネルに関連するすべての時間スロット上で、単一のチャンネル毎に、かつ単一のMS毎に別個に発生し、ただし、常に最大パワーで送信される制御チャンネルを搬送するBCCHキャリアの時間スロットを除く。移動装置上で実行されるパワー制御を考えれば、２つの場合が可能であり、これらのうちの第１の場合は、送信機のパワーを、予め設定した幅を有するステップずつ、サービス中のセル内の送信条件に適した最小レベルに達するまで減少させて、第２の場合には、前記パワーを同じ方法で、送信機の最大許容出力レベルに達するまで増加させる。第１の場合には、各チャンネル上の妨害レベルを低減することが目的であり、実際に非常に小さいセルでもこのことを実現可能にして、２次的には、移動装置の動作の自律性を増加させることを目的とする。第２の場合には、無線上の理由によるハンドオーバを、回避可能な際に回避することが目的である。BTSが各無線キャリアの各時間スロット上に放出するパワーは、BTSをMSから分離する距離に応じたレベル（放出レベル）を有することができ、この距離はタイミング進み（TIMING ADVANCE）パラメータにもとづいて評価され、このパラメータは、簡単な計算によって、移動体の放射方向の距離、従って径路損失を得ることを可能にする。移動体の送信機用のコマンドは、SACCHチャンネル上を１秒当たりおよそ２コマンドの速度で進んで、送信されるパワーの60ms毎に2dBの最小変化を可能にして、このことから、深く（＞12dB）かつ十分広がった減衰（フェーディング）を唯一のコマンドで補償できないことがわかる。
【００３４】
適応フレーム整列（ADAPTIVE FRAME ALLIGNMENT）の手順をBTSによって実行して、３つの固定の進み時間スロットを、ダウンリンクフレームとアップリンクフレームとの間に維持する。これらの３つの時間スロットは、トランシーバ（送受信機）のアンテナにおける二重フィルタをなくして、製品の製造を簡略化することを可能にする。専用接続を確立すると、BTSは自分自身のバースト信号とMSから受信したバースト信号との時間差を連続的に測定して、これらの測定値の平均が、SACCHチャンネルに入れた時間進み（TIME ADVANCE）パラメータ、及び１秒当たりおよそ２回送信するダウンリンクに対応する。移動体MSは時間進みの修正用に受信した値を使用して、自分自身のバースト信号を送信する。最大許容の修正は235μsであり、これは移動装置の速度に過度の制限を設定することなく、セルに35kmの半径を提供するのに十分なものである。
【００３５】
最終的に、移動体はハンドオーバ手順によって検査され、ハンドオーバ手順の実行は、ネットワークが「専用モード」で動作している移動体にコマンドを与えて、この移動体をセルの他のチャンネルに強制的に行かせることを可能にする。ハンドオーバはあらゆる移動電話システムにとって重要な機能であり、これは移動体が、通信中に広い地域内の移動を行いながら通信することを可能にする。実際に、この機能は通信チャンネルの送信品質の劣化を防止して、さもなければこの劣化は、移動体が最初にサービスを受ける自分自身のセルのアンテナ集合体から次第に遠ざかることによって不可避的に発生する。この防止の作用は、ユーザが実行中の通信上で雑音を知覚し得ないように達成しなければならない。
【００３６】
ハンドオーバを特徴付ける第１の基準は、基盤における「切り換え点」の局所化であり、ここで切り換え点については、ハンドオーバの前後の機能的な構成要素（エンティティ）を連結させる階層構造における構成要素を意図する。以下、添字"old（旧）"は、ハンドオーバ前の通信径路上のすべての機能的な構成要素を示し、"new（新、新たな）"は、ハンドオーバ後の構成要素を示す。GSMシステムでは、使用中のチャンネルの貧弱な送信品質が理由の場合には、BSCによってハンドオーバを開始し、セル内の過剰なトラフィックが理由の場合には、MSCがハンドオーバを要求して制御し、そして最後に、操作及び保守センターが一部のO&M機能を実行するためにハンドオーバを要求することができる。ハンドオーバのトポロジに関する限り、ハンドオーバを同一セルのチャンネル間で実行する場合には、これらのハンドオーバを「セル内」と称し、逆に異なるセルのチャンネル間で実行する場合には、これらのハンドオーバを「セル間」と称する。セル内ハンドオーバはMS及びBTSが関係し、そして一般にBTSを制御するBSCによって制御される。セル間ハンドオーバはMS及び２つのBTSが関係し、これら２つのBTSが単一のBSCに属するか、あるいは異なるBSCに属するかということに応じて、内部型または外部型でありうる。最初の場合には、同一のBSCがハンドオーバを制御することができ、２番目の場合にはMSCがハンドオーバを制御しなければならない。
【００３７】
ハンドオーバを特徴付ける第２の基準は、新たなセル内で使用すべき時間進み（TIME ADVANCE）の特定方法にある。上記の方法にもとづいて、２種類のハンドオーバ、即ちハイパーフレームのレベルで同期したセル間で実行する場合の同期ハンドオーバと、逆の例である非同期ハンドオーバを区別することができる。同期の場合には、移動体自体が時間進み（TIME ADVANCE）を計算して新たなセル内でこれを適用することができ、非同期の場合には、移動体が適切なアクセスバースト信号を専用チャンネル上で送信して、新たなBTSが正しい時間進み（TIME ADVANCE）を計算することを可能にしなければならない。もちろん最初の場合の方がハンドオーバの実行時間が少なく、100ms以下であり、非同期の場合にはおよそ２倍になる。
【００３８】
図９に、GSMシステムで成功した結果を有する非同期BSC間ハンドオーバの場合に関連するメッセージ順序の図を示す。図では短縮のために、一般に「ネットワーク（NETWORK）」と称するプロトコル要素に関するすべてのプロトコル段階は無視する。これは、ハンドオーバに関するGSM仕様を知る当業者は、この省略した部分を完成させるために十分な素養を持っているので、説明目的を損なうことはない。同期式ハンドオーバは、いわゆる物理情報（PHYSICAL INFORMATION）のMSによる受信段階を削除した同図において読み取ることができる。図１１を参照すれば、本手順は、下記のように展開される：
・ネットワークは、一旦ハンドオーバと切換え点とによって発せられた原因に大きく依存するプロトコル段階を完了すると、ハンドオーバに関して新しいチャンネルを提供するために必要なすべての情報を含む新BSCに向けられたメッセージを用意する。新BSCは、上述のように動作すると、タイミング及びパワーレベルに関して完全な仕方でなくても、割り当てられたチャンネル、及び最初に新チャンネルに配置すべき移動体が必要とするすべてのものの指示を有するハンドオーバ・コマンド（HANDOVER COMMAND）をMSCを介して送出する。このコマンドは、このために関連FACCHチャンネルを使用して、移動体自身が未だ接続されている旧BSCによって移動体に送られる。ハンドオーバ・コマンドの内容は、新セルのBSICと、ハンドオーバの種類（システム内またはシステム外、同期式または非同期式）と、使用する時間スロットの周波数および番号と、伝送パワーとを含むが、同期の後に初めて知られる時間進み（TIME ADVANCE）及びフレーム番号（FRAME NUMBER）を含むことができない。
・移動体は一時的に旧チャンネルを放棄して、新たなセルの新たなチャンネルTCHに切り換わって、移動体はこのチャンネルで、ハンドオーバアクセス（HANDOVER ACCESS）のバースト信号を送信するアクセスを行う。このバースト信号は８ビット長であり、既にこのセルに関連している移動体がRACHチャンネルに送信した信号と同様であるが、この信号とは異なりハンドオーバ基準を含む。
・ハンドオーバが同期であり、かつ物理情報（PHYSICAL INFORMATION）メッセージを受信するまで行う場合か、あるいはハンドオーバが同期でありタイマーT3124が計数できなくなった時点で、ハンドオーバアクセス（HANDOVER ACCESS）コマンドを４回反復する。
・移動体は、FACCHチャンネル上の新たなBTSが独立して送信した物理情報（PHYSICAL INFORMATION）を受信して、ハンドオーバアクセス（HANDOVER ACCESS）の送信を終了する。この物理情報（PHYSICAL INFORMATION）は、移動体が適用しなければならないタイミング進み（TIMING ADVANCE）を含み、このタイミング進み（TIMING ADVANCE）は、BTSがハンドオーバアクセス（HANDOVER ACCESS）メッセージを受信した後に繰り返し送信し、このハンドオーバアクセス（HANDOVER ACCESS）メッセージは、BTSが同じハンドオーバアクセス（HANDOVER ACCESS）メッセージを算出できたものである。BTSが、受信したことが明らかになるレベル２フレームまたはTCHブロックを復号化した際に、BTSは物理情報（PHYSICAL INFORMATION）の送信を停止する。この時点で、移動体は自分自身を新たなマルチフレームに完全に同期させて、送信のタイミング進み及びパワーレベルを調整することができる。
・移動体は、FACCH上で新BTSに向けてハンドオーバ完了（HANDOVER COMPLETE）メッセージを送出し、それに続いて新BSCは、旧トラフィック・チャンネル及び関連信号チャンネルを解放できることを旧BSCに通知する。
【００３９】
図１０に、同期、非同期いずれにせよハンドオーバに失敗したケースを示す簡潔な手順をハンドシェーク形式で示す。実際にハンドオーバ・コマンド（HANDOVER COMMAND）メッセージの受信に続いて移動体が予期した時間内に新BTSから物理情報（PHYSICAL INFORMATION）を受信できなければ、移動体は、旧セルの旧チャンネルに切り替わって、呼び再確立（Call Re-establishment）手順を開始するためにハンドオーバ失敗（HANDOVER FAILURE）メッセージを送出する。
【００４０】
本発明との比較のために更に重要と考えられるGSMシステムの技術的特徴の説明は、これで終わる。さて今から、一般のCDMA手法に対する欠点と見られる幾つかの要点を限定する。強調される他の要点は、実施例の説明では似ていない特徴を単に観測することと同等である。筆者等がここで強調したいのは、下記のことである：
・200kHz長距離チャンネルを有するGSMのFDMA-TDMA手法は、標準アーキテクチャから外れて特殊なチャンネル計画を必要とする多スロット構成に依存することが、単独ユーザの処理時のビットレートを、データ用の9.6kbit/s及び音声用の13kbit/sに限定しなければ、ユーザに広帯域サービスを提供する将来の要件に適合しないと評価される。
・GSMでは特殊な共用アクセス手法と比較的低いビット周波数は、同期に対して厳しい制約を設定しない。この理由から、アイドルモードと専用モードとにおける同期の探索と保持においては、やや低速のメカニズムが予測される。実際に同期は、約45.6msの間隔のダウンリンク・マルチフレームにおけるFCCH及びSCHのコピーの放出によって、BTSによって促進される。専用モードの移動体の同期の保持は、毎秒約２回の間隔のSACCHチャンネル上でのBTSによるタイミング進み（TIMING ADVANCE）修正パラメータの放射を予測する。これらの同期メカニズムは、十分に速いビットレートと、あまりに緩い同期によって生じる妨害の極めて厳しい制約とを特徴とするTDD型の3Gシステム[例えばTD_SCDMAまたはTDD UTRAN（UMTS Terrestrial Radio Access Network：UMTS地上無線アクセスネットワーク）]で危機を経験することになるであろう。これは、同じ場所を共用する複数のユーザの間の非同期が相互干渉を発生し得るように、アクセス手法が同じ場所を共用する更に多くのユーザを予測するからである。
・GSMのネットワークへのランダムアクセスメカニズムは、同期メカニズム（この段階前及び段階中は本質的にダウンリンクである）から分離されており、その結果、アクセスと同時のアップリンク同期は要求されない。言われていることは、3Gシステムの説明不足であまり明確でないように見えるが、本願発明の目的に関係があるので、この主題を進めることは重要である。提起された主題は、利点または欠点からよりも多く、２つの移動システム間のレベル１の異なる設定から導き出される。物理チャンネルの異なる設定は、3Gシステムに、GSMと比較してネットワークへのランダムアクセス中の更なる衝突問題と、非同期ハンドオーバに関して起こる、GSMでは起こらない問題とを生じさせる。・GSMに実現されたFDD型の全二重アクセスでは、アップリンク・マルチフレームは、ダウンリンク・マルチフレームと同じであるので、２つの伝送方向におけるトラフィック・チャンネル数と関連制御との対称の関係は強制的に存在する。この設定は、例えば使用中の経路が確かにダウンリンク経路であるインターネットとの接続といったトラフィックが極めて不均衡な状況に対処するには最善ではない。
・GSMチャンネルに関連の物理的リソース（資源）は、固定であり変更できないので、変更されたトラフィック要件またはメッセージ要件に直面するチャンネルの能力を動的に変化させることは不可能である。
・特定のレベル１フィールドは、バースト信号に基づいたパワー制御及びタイミング制御を行うGSMバースト信号では予測されない。これらの機能は、レイリー・フェージングを除去するには遅すぎるが対数正規減衰だけを除去するには適した毎秒約２回の間隔でSACCHチャンネルを使用中にしておくことによって実行される。もし良好なセル計画が行われていればユーザはバースト信号を他の潜在的な等頻度の妨害と共用すべきでなく、GSMにおけるパワー制御は「平均して」トータルの干渉レベルを減少させるために使用する。これとは異なり、3Gシステムでは、CDMA手法における時間スロット及び帯域の共用は、実際に等頻度型の妨害を生成する。したがって、より高速かつ高精度のパワー制御が要求される。これに関して相互干渉の程度は、単独の等頻度ユーザから受信したパワーを「１バースト信号ずつ」等しくすることによって最小にされ、CDMA手法の信頼性を向上させる。
【００４１】
CDMA手法は正に、前述で強調されたGSMの欠点、特に低いビットレートと、精確な周波数計画を持つ必要性と、非対称トラフィックを効率的に管理できないこととによる欠点を回避できるという理由から第三世代システムで好まれている。前文で既に述べたように、この分野の種々の会社が第三世代システムに関して成長しつつあり、近未来の目標は、唯一ヨーロッパの環境でGSMに関して過去に行われたように、極めて詳細に記述された多数の普遍的仕様UMTSを作成するための相互協定という目標である。現在、IS-95規格は、Walsh関数とも呼ばれる64の符号化直交列の使用を予測してCDMAシステムに関して実施されている。これらの列に加えて、例えばユーザ識別のための「長符号」、基地局がそれ自身の識別用に送信するパイロット信号列PNといった疑似雑音（PN）列が予測されている。Walsh0関数は、パイロット信号チャンネル用に使用される。残りの63のWalsh符号化は、呼び（ページングチャンネル）及び会話（トラフィック・チャンネル）の同期チャンネル（Synchチャンネル）用に使用される。データ形式の情報の内容がWalsh符号で暗号化され、それから拡散スペクトル変調される前に、チャンネル符号化とインターリーバーと長符号とによって内容の区分が行われる。符号器入力のデータ速度は、1200bit/sから9600bit/sの範囲に存在し得る。基地局CDMAのすべてのチャンネルは、いわゆる「順方向リンク」を形成し、実際にこれは、移動装置に向けて送信される信号である。反対方向では、移動体によって送信される信号は、異なるチャンネル符号化と使用される変調の種類（Offset-QPSK）とに関して基地局のものとは異なる。移動体の受信器で基地局のパイロット信号に同期されるパイロット信号列PNは、再び変調データをスペクトル拡散変調するために使われる。移動体の信号を区別するもう一つの特性は、この最後のものが如何なるパイロット信号も送信しないことである。基地局及び動作中のすべての移動装置との間の伝送レベルの閉ループ制御は、アンテナからの異なる距離とチャンネル・フェージングとによる減衰の可変性を補償すると予測される。この制御により、すべての移動装置の伝送パワーは、基地局の受信機の入力における信号強度がほぼ同じレベルを持つような方法で調整できる。
【００４２】
この仕様によれば、すべてのチャンネルは、純粋なCDMA手法、すなわち他の多重アクセス手法に更に頼らないCDMA手法における全帯域を共用する。これはまた、言うまでもなく、同じWalsh関数を維持する基地局によって送信される信号と比較して、移動体によって送信される信号に関する異なる変調の種類と、異なるチャンネル符号化とを使用することを予想する全二重化にも当てはまる。IS-95に指定されたシステムが未だ第三世代システムUMTSに分類されるにはほど遠いことは明らかである。事実、要求される主要な要件は、特に単一チャンネルの処理時の高速ビットレートの要件と、２つの経路上の非対称トラフィックの可能性と、拡散係数を動的に変化させる可能性とを満たせないでいる。更に規範的なFDMAおよびTDMA方式には入らない採用された全二重方式は、異なるチャンネル間で漏話妨害（漏話）を引き起す可能性がある。移動装置の同期に関してパイロット信号PNの伝送は、階層フレームの喪失があるとバースト信号とフレームとを整合させる必要がないので、恐らく既知のPLLメカニズムを使用して移動装置の発振器周波数及び伝送するビットの位相を修正する。更に出願人の意見ではこの仕様は、常に比較のために里程標を残す現在のGSMに真に対抗できるUMTSシステムのアーキテクチャと信号方式と実現性とに関するすべての複合問題を確定するには不備である。仕様IS-95のシステムについて終わりにすると、指定されたシステムは、それがCDMA手法であっても、GSMシステム自身によって与えられる教えよりも第三世代システムに向かって発展するために適格な如何なる教えをも提供しないと言うことができる。製造業者のニーズが新しい分野の規格に到達することであるというのは、事実でない。
【００４３】
第３世代の設計においてもち上がる課題であり、その答えが設計の選択を条件付けるものを以下に特記する。
・第１点は、移動装置が無線フレームを同期させることを可能にする手段を、GSMの手段といかに相違させるかであり、このことは新たな関係においてまだ不十分である。
・第２点は、ハンドオーバの場合に、移動装置が、サービス中のセルまたは隣接セルの無線フレームをアクセスすることを予見したプロトコルステップにおいて、新たな同期手段をいかに採用するかである。
【００４４】
取り扱う課題の複雑性を考慮すれば、この時点の説明では、本発明が元々の方法で解決しようとする技術的問題を、より正確なやり方で予測することは不可能である。具体例の説明を進めながら、これらの技術的問題を十分かつ明らかに強調して、本発明によって実現される解決手段を完全に正当化していく。
【００４５】
（発明の目的）
従って本発明の範囲は、共用無線チャンネルへのアクセスを調整するプロセスを示すことにあり、このプロセスは、新規のシステムUMTSの無線インタフェースにおけるシステム選択によって物理チャンネルに行わせる時間及びパワーの同期モードと並んで、ネットワークへのアクセスを予見した手順でネットワークへのアクセスを実行する際に、移動装置が共用するチャンネル上の危険な輻輳を回避するものである。
【００４６】
（発明の概要）
本発明の主目的は、請求項１に記載の、UMTS型の移動遠隔通信ネットワークに属する基地局によって管理される無線チャンネルへのアクセスを調整するプロセスにある。
【００４７】
本発明のさらなる目的は、請求項に記載の、プロセスの２つの追加的な好適例である。
【００４８】
本発明の追加的な目的は、請求項１及び２つの前記好適例のアクセス調整手順を実行する移動システムである。
【００４９】
（発明の利点）
請求項１のプロセスは、異なるアクセストポロジのそれぞれ専用のサブチャンネルを導入したおかげで、CDMAシステム、特に本発明のTDMA-CDMAシステムに、移動装置の共用チャンネル上へのアクセスを調整する能力をもたらす。これにより、例えば発信呼び、終結呼び、セル間の非同期ハンドオーバのような、システムに予見されるすべてのモードに関して、ネットワークへの接続要求のピークにおいてアップリンク径路を輻輳させる恐れが軽減される。異なるアクセストポロジにサブチャンネルを割り当てる方法は２つ以上であり得る。これらの方法のうちの３つについて後に説明し、第１の方法は本発明の好適例にも対応し、残り２つの方法は他の２つの好適例に対応する。第１の割り当て方法は、規則的な間隔でTDMAマルチ（多）フレームのフレームをマークして（目印を付けて）、マークした期間内の異なる位置にあるフレームを異なるサブチャンネルに割り当てる公式の使用にもとづき、各サブチャンネルが特定のアクセストポロジに関連する。第２のサブチャンネル割り当て方法は逆に、セル内の移動装置に送信された確認応答（アクノレッジ）手順のアクセストポロジに従って共用を行って、ネットワークへのアクセスを実行する。この好適例は、移動装置のネットワークへのアクセスに続くステップにおいて有用であり得るが、将来の開発の観点からも有用であり得る。第３のサブチャンネル割り当て方法は、上述した２つの方法を組み合わせて相乗作用を生成する。
【００５０】
本発明は、そのさらなる目的及び利点と共に、以下の図面を参照した実施例の詳細な説明によって、理解することができる。
【００５１】
（好適な実施例の詳細な説明）
図１１（前のものは既に説明されている）は、3Gフレーム内での７つの時間間隔または時間スロットの順序構成を、後述する他の3つの特別な時間スロットも加えて示し、これらの時間間隔または時間スロットは、一般的なキャリアに使用するために、セル内で使用中のものどうしの間で無限に繰り返す（広帯域使用のためにGSMで使われる時間スロットよりずっと少数）。図１１の基本フレームは、3Gシステムに実現されたTDD型の全二重方式の、移動装置MSから到来するｍ個の時間スロットUL0,...,ULm（UpLink：アップリンク）、及びBTSCから到来するｎ個の時間スロットDLn,...,DL0（Downkink：ダウンリンク）を含む。キャリア及びこれを利用する時間スロットと拡散符号からなる組は、論理の観点からチャンネルを特徴付ける情報をサポートするように予定されたUuインタフェースの物理チャンネルを形成する。連続フレームは、3Gシステムで使われるすべてのキャリアによって観測される、より多くの階層レベルに構成される。BTSによって送信されるキャリアは、相互に同期したフレームを搬送し、これによって隣接セル間の同期を単純にする。本発明に制限を設けることなく、TD_SCDMAシステム（TimeDivision Synchronous Code Division Multiple Access：時分割同期符号分割多重アクセス）として3Gシステムを特徴付ける異なるクラスタのすべてのセル間で一般的なフレーム同期を行うことは好都合である。すなわちこの図で下から上に始めて、基本フレーム3Gは、他の3つの特別な時間スロットに加えてm＋n＝7つの有用時間スロットを含んでおり、これら有用時間スロットの各々は0.675msの継続時間を持っており、３つの特別時間スロットは順次に、継続時間75μsのDwPTS時間スロット（ダウンリンク・パイロット・時間スロット）と、75μsのガード時間GPと、継続時間125μsのUpPTS時間スロット（アップリンク・パイロット・時間スロット）である。基本フレームの全継続時間は5msである。24の基本フレーム3Gは、１つの120msトラフィック・マルチフレームを形成する。48の基本フレーム3Gは、240ms制御マルチフレーム3Gを形成する。24×48＝1152の基本フレーム3Gは、継続時間5.76sのスーパーフレーム3Gを形成する。1152のフレームは、48のトラフィック・フレームか24の制御フレームのどちらからでも得られる。2048のスーパーフレーム3Gは、全継続時間3時間16分36秒の2,359,296のフレーム3Gからなる１つのハイパーフレーム3Gを形成する。図３と図１１との比較は、GSMシステムと3Gシステムとが、時分割の次数の異なり方にかなり近い、異なる値を採用していることを示している。図示の階層は拘束的なものではなく、例えば信号送出機会が図１１の２つの連続する基本フレームを720msの全継続時間を有する72の新フレームからなる1つのマルチフレームに属する、2倍の継続時間を有する1つの新フレームの2つのサブフレームと考えることもできる。
【００５２】
3G基本フレームでは、ガード（保護）期間GPが切り換え点DL/ULを表わす。ガード期間GPは、アップリンク送信とダウンリンク送信との干渉を回避するため、並びに移動局が最初の信号をUpPTSチャンネル上に送信する際の、移動局と基地局との間の伝播遅延を吸収するために使用し、この送信の段階では、実際には伝播遅延は未知である。ガード期間GPの直前に特別なDwPTS時間スロットがあり、UpPTS時間スロットの直後に両時間スロットは、符号の拡散を受けない同期バースト信号を有し、その機能は後述する。残りの時間スロットは、符号の拡散を受ける、トラフィックまたは信号送出に予定されている同じ構造を有するバースト信号を含む。図１２ａ、１２ｂ、１２ｃは、基本フレーム3Gの異なる構成を示しており、初めの２つの図は残りの図に対して、より高い対称性を有する構成に関連している。図１２ａは、マルチフレーム内の異なる時間位置にある図１１の基本フレームを示しており、特にUpPTSの開始点、それに続いて順にTs0,Ts1,Ts2で示す３つのアップリンク・時間スロット、それから４つのダウンリンク・時間スロットTs3,Ts4,Ts5,Ts6、最後にDwPTSとガード時間GPとが続いている。時間スロットTs2及びTs3の間には切換え点UL/DL（前述の切換え点とは異なる）が存在する。図１２ｂは、２つの方向に３つの有効時間スロットの完全に対称な配置、及び信号用に利用可能なダウンリンクTd6時間スロットを示すが、図１２ｃは、２つのアップリンク・時間スロット、及びインターネット接続により適した４つのダウンリンク・時間スロットを有する非対称配置を示す。図１２ａでは、異なる有効時間スロットの継続時間は、CDMA手法に従ってスペクトル拡散を実行する有効時間スロットで使用する一組のＮ個の符号列の共通周波数に対応するチップレート＝1,28Mcpsの逆数に等しい0.78125μsの継続時間の、チップと呼ばれる測定単位によって表される。図１２ｄは、ダウンリンク・パイロット・時間スロットDwPTSが32チップのガード期間GP及びこれに続く64チップのSYNC1列を含むことを示す。図１２ｅは、アップリンク・パイロット・時間スロットUpPTSが128チップのSYNC1列及びこれに続く32チップのガード期間GPを含むことを示す。そして最後に図１２ｆは、有効時間スロットTs0,...,Ts6の共通構造が全部で864チップの間に、末尾に16チップのガード期間GPを持ち、144チップのミッドアンブルの前と後にそれぞれ配置されたデータ用の352チップという等しい長さを持つ２つのフィールドを含んでいることを示す。
【００５３】
図１２ｆで与えられた２つのフィールドの各々は、スペクトル拡散の帯域内に等しい数の無線チャンネルを生成するために予め設定した数の符号列によって変調され、これらのチャンネルはこの帯域全体を占め、サービス及び信号の処理時に置かれる同数のいわゆるリソース（資源）装置RU（Resource Unit）を表わす。その隣側ミッドアンブルは、後述する目的のために、生成された無線チャンネルの数のインパルス応答を評価するためにBTSC局及び移動装置によって使われる学習列を含んでいる。
【００５４】
図１２ｆの主たるバースト信号を参照すると、次の関係が成り立つ：Tsk＝Qk×Tc、ここにQkは前記Ｎ個の符号列に対応する1,2,4,8,16の内から自由に選択した拡散係数SF（Spreading Factor）であり、Tsは伝送される記号の継続時間であり、Tcはチップの固定継続時間である。この関係から拡散係数が増加すると伝送される記号の継続時間も増加し、言い換えれば主たるバースト信号に関連する物理チャンネルは増加するが、このチャンネルで許容される伝送速度は減少する。
【００５５】
付録ＡＰＰ２には上述の考えを要約した二つの表を示す。表１は、CDMA変調の列の異なる拡散係数に関して図１２ｆの主たるバースト信号の各データフィールドから得られる記号の数を示す。表２は、異なるRUSF1...16に関する近似的データ速度を示す。与えられた情報から筆者等は、図１２ａのフレームに16に等しい一般化された拡散係数を使用すると、７つの有効時間スロットの各々が54の記号を担持し、それに10のUpPTS記号と６つのDwPTS記号と６つのGP期間用の同等の記号とを合計して、総計で400の記号になることに注目する。
【００５６】
物理チャンネルの使用を説明する前に、無線周波数スペクトルから始めて、無線の観点からこれら物理チャンネルを特徴付けている情報を完成させることは価値がある。3Gシステムに利用可能な周波数帯域は、2GHzの周りに割り当てることが可能であり、またスペクトルの利用可能性に応じて可変の幅を有する。特に利用可能領域は現在のところ、15〜60MHzに分布する幅を持った不連続帯域において1785MHz〜2220MHzに含まれるので、3Gサービスを他のシステムによって提供されるサービスと共存させることは可能である。付録ＡＰＰ２の表３は、図１２ｆのバースト信号の主要な変調パラメータを示す。データ（記号）を変調する拡散列は、Walsh(n)関数として知られた列である。割り当てられた拡散係数SFに関しては、Walsh関数の中からすべて直交的で同じ時間スロット内で移動装置への自由な割当ての可能性を有する異なるWalsh関数SFを選択することが可能である。図１２ｆのバースト信号では、１つの時間スロットを共用する最大16人の可能なユーザが符号の拡散を受けないミッドアンブルレベルで識別できる。この目的のために、最小のシフト幅の倍数についての基本周期列の符号を周期的に位相シフトして、同じミッドアンブルの最大16の異なるバージョンを取得する（既知の方法で）ことは有用であることが分かった。考察に残された最後の重要な操作は、スクランブルであって、これは、セルの通常のスクランブル列（混合）によって拡散処理から得られる各列の要素の乗算である。スクランブルは、これを適用する列に対する疑似雑音特性を与える。拡散→スクランブル操作は、セルの拡散符号特性の適用と比較できる。RUに割り当てられる拡散符号とスクランブル符号との特定の組合せの認識は、信号を無線インタフェースUuに送信することを可能にし、また受信信号にスクランブル解除および逆拡散の逆演算を施して、元の信号を再構成することを可能にする。同様の手法は、ミッドアンブルに適用される。
【００５７】
次の図１３は、3Gシステムの異なるセルの中の下記の要素（エンティティ）の共用基準：すなわちバースト信号DwPTSのSYNC列とスクランブル符号とミッドアンブルとUpPTSバースト信号のSYNC1列（署名とも称する）の共用基準を示す。図１３を参照すると、DwPTS1,...,DwPTS32で示すSYNC符号に割り当てられた同じく32の水平な線に分割した表を認めることができる。１セル当たり唯１つのキャリアという場合を想定すると、32のSYNC符号のグループは32のセルを示し、そうでない場合にはこれは、より小さな数のセルを示し、最後の基準は、3Gシステムのキャリア、または必要な場合にはその複数のクラスタのうちの１つのクラスタのキャリアくらい多数のDwPTSパイロット信号を予測する基準である。この図に示したように連続した数値順に割り当てられている全部で32グループ、128符号の中の４つのスクランブル符号から成る１つのスクランブル符号グループは、各DwPTSに関連する。４つのミッドアンブルのグループはそれぞれ、スクランブル符号の同じ数値順に合わせて割り当てられている全部で32グループ、128ミッドアンブルの中の32のスクランブル符号グループの各グループに関連する。４つのミッドアンブルの中から１つだけを選択して、SF時間シフトから得られたそのSF（最大16の）バージョンは、必要なときに上記のように供給される。
【００５８】
図１４は、署名列SYNC1の3Gシステムの異なるセル間の共用基準を示し、各署名列はアップリンク・パイロット・時間スロットUpPTSの内容に対応している。図の表から認められるように、これらの線には前の図１３の表との対応が存在しており、実際この場合にも各線は、全部で32あるキャリア自身のDwPTSパイロット信号によって識別されるキャリア（セル）を表している。８つの異なる列SYNC1の１グループは、図の数列に従って割り当てた全部で256ある各々のダウンリンク・パイロット信号DwPTSに関連する。図に示すように、移動装置は、所定のパイロット信号によって識別されるセルを介してネットワークへのアクセスを有するパイロット信号DwPTSに関連する８つの列SYNC1中の一つをランダムに選択する。図中の説明文は、２つの表の異なる要素の長さを示す。
【００５９】
図１２ａの基本フレームの異なる時間スロットは、言うまでもなく単一のBTSCの常駐インテリジェント・アンテナによるビーム形成を多少とも受ける。ビーム形成を受ける時間スロットは、送信および受信の時間スロット上でBTSCによって行われる空間フィルタリングまたは空間−時間フィルタリングに使用する一組の複合ビーム形成定数に関連する。
【００６０】
今までに導入した要素（エンティティ）、すなわちシステムに割り当てられた帯域、異なるセル間のキャリア周波数およびその分布、基本フレーム及びフレーム階層の構造、パイロット・時間スロットDwPTS、UpPTS及び有効時間スロットの構造、スクランブル符号、ミッドアンブルおよび関連する時間シフト、拡散符号の数、ビーム形成定数、並びに物理・論理チャンネルの形成について簡単に説明される他の情報等は、設計者によって考えられるように3Gシステムが根拠とする枠組みを形成する。この情報は一般に、プロトコルのレベル１を特徴付け、また区域中に散在する異なるBSCC及びBTSCポストに割り当てられた半永久的データを全体的または部分的に入力する。ローミングしている、あるいはアイドル状態にある移動体は常に、その移動体を「ロケーション・エリア（存在領域）」に、特に移動体が半永久データ（周波数、DwPTS、基本ミッドアンブル、スクランブル符号、UpPTSグループ）を知らなくてはならないセルに関連付ける加入手順を受ける。適当なシステム・メッセージは、無線インタフェースUuを含む接続に暫定モードで割り当てられたチャンネルをより適切に構成する残りの要素（ミッドアンブル・シフト符号、拡散係数及び拡散符号、ビーム形成定数、伝送パワー、タイミング進み）を割り当てるために後続の「ASSIGNMENT（割当て）」メッセージと統合される目的を遂行する。
【００６１】
DwPTS要素及びUpPTS要素及びミッドアンブル要素は、3Gシステム内でのこれらの重要性を考慮して、より詳細に後述する。パイロット信号DwPTSは、ビーム形成のない、あるいはセクター・ビーム形成のある一般BTSC局によって送信されるが、またこれは、移動体がオフからオンに切り換わるときにその移動体がセル選択手順を実行できるようにする。この目的のために移動体は、自分自身を関連セルに加入させて、広報されたシステム情報の読取りに進むように、最も高いパワーで受信されたDwPTSパイロット信号を特定するための同期ダウンリンク走査を移動体が開始できるために、3Gシステムで使用されているすべての周波数とそれに対応するパイロット信号DwPTSとを移動体の不揮発性メモリSIM（Subscriber Identity module：加入者識別モジュール）内に記憶している。このようにして移動体は、セルで使用している基本ミッドアンブル及びこれに関連するスクランブル符号を知る。DwPTSパイロット信号の弁別は、その係数が１回ずつ調べられるSYNC列に結合されるようにプログラムされたディジタル・フィルタの使用を必要とする。同期中は、受信信号から周波数オフセットを除去することのできる周波数追跡アルゴリズムを動作状態にすることができる。ダウンリンク・パイロット信号DwPTSに課された他の機能は、簡潔のためにほんの短く概説されているが、隣接する基地局の無線同期、及び広報されたシステム情報を取得するための共通制御１次チャンネル（CCPCH）の開始位置とインターリーブ期間とについの移動体への指示である。この最後の機能は、当業者に知られた種々の手法で取得できる。
【００６２】
これに対して、アップリンク・パイロット信号UpPTSは、移動装置によって最初に開始され、セル選択フェーズに続いて加入手順（ロケーション更新）に入り、それからネットワークへの最初及び追加のランダムアクセス時に、セル再選択手順と非同期ハンドオーバに入る。移動体は、アップリンクに送るべき８つの列SYNC1の中の一つをランダムに選択して、その送出を開始する。１グループの８つの列はすべて、互いの間で直交しているから、これらは、同数の移動装置によって同時に伝送でき、また干渉せずに基地局BTSCによって弁別できる。上記のことは、256列のすべてに当てはまる。１つのSYNC1列を認知したBTSC局は、関連する遅延及び受信したパワーレベルを測定し、その遅延を単一のフレームに限定するために、適当な物理チャンネルP-FACH（以下に説明する）を使って単一のバースト信号でアクセスタイミング調整メッセージ（Timing Adjustment）を移動体に送信する。この調整値は、次のメッセージを送るために移動体によって使用される。開始パワー制御及び同期は、SYNC1列に応じてネットワークによって割り当てられるチャンネル上での全体の妨害を減少させる。移動体は、SYNC1列の送信に対する調整された応答をネットワークから受信すると、パイロット信号UpPTSの送信を停止する。専用チャンネルの割当て時に同期と正しい伝送パワーとを保持することは、ミッドアンブルの使用に委ねられる。
【００６３】
一意の基本ミッドアンブルは、最大の拡散値SFのために、時間スロット内に同時に共存できるバースト信号の異なるバージョンくらい多数の符号化したシフト時間値によって指定される最大16までのミッドアンブルを１セル内に生成できる。ミッドアンブルは、それらを収容するバースト信号中に存在するデータの同じビーム形成及び同じ伝送パワーを施される。ミッドアンブルを指定する符号は、関連の無線チャンネルのインパルス応答を評価するための学習列の符号である。ミッドアンブル関連する機能は、下記の通りである：
−無線チャンネルの推定。これは、受信信号に対して移動体とBTSCの両者によって行われる。すなわちBTSC局は１つの時間スロット内の同じミッドアンブルの位相シフトされたバージョンを受信するので、この局は、異なる移動装置に係合した無線チャンネルに関連する所定のインパルス応答を単一の相関サイクル内に、相関器の出力において順次に得られる、本手法では既知の合同推定方法を有利に使用できる。
−パワー制御のための測定。信号／干渉の無線パワーの測定は、伝送パワーを測定するためにアップリンクとダウンリンクの両方で行う。内部制御ループに基づいたメカニズムを使用するが、これはインパルス応答の最初のサンプルによって操作され、品質測定に基づいて、より低速の外部ループによって遂行されるので極めて高速である。高速の内部ループを可能にする送信器へのコマンドの割当てのために、主たるバースト信号中にレベル１が予測される。
−アップリンク同期の保持。BTSC局は、それ自身のタイムベースと比較してミッドアンブルの弁別時点を計算し、この時点を前の修正された値と比較するが、この差は次のバースト信号の最初の伝送時点の修正のために移動体に送られる新しいタイミング進み（TIMING ADVANCE）値である。アップリンク伝送の精度はチップ継続時間の1/8であって、迅速制御を可能にする送信器へのコマンドの割当てのために、主たるバースト信号中にレベル１フィールドが予測される。
−周波数オフセットの修正。これは、ミッドアンブルを認知しながらダウンリンク方向に移動装置だけによって行われる手順である。
【００６４】
図１２ｇは、ミッドアンブルの直ぐ両側に配置した２つのL1レベル１が見られる図１２ｆの主たるバースト信号の可能な構成を示す。これら２つのL1フィールドの各々は、共に後述のSACCHチャンネルに共に予定されている追加フィールドに隣接している。付録ＡＰＰ２の表４は、図１２ｇのL1フィールドの意味、及びバースト信号中の位置と大きさを示す。第３列の表示は、拡散係数16を意味する。この表は、PC、SS、SFLと称する３つの２ビット・フィールドを含む。フィールPC及びSSは、パワー制御（PC）機能及び同期シフト（SS）機能を実行するために送信器に伝えられたコマンドを含む。フィールドSFLは、GSMと同じ方法で使用するスチール・フラグであって、SFL記号の第１ビットは、図１２ｇのバースト信号のペア・ビットを制御するが、第２ビットは奇数ビットを制御する。もし制御ビットの値を「１」に設定していれば、バースト信号の対応するペア・ビットまたは奇数ビットはより高いレベルの信号を搬送するが、そうでなければ、このバースト信号が対応するペア・ビットまたは奇数ビットは、例えば音声データを搬送する。SFL値は、Ｎ個のフレームに沿った全インターリーブ期間中一定であって、サービスに依存する。フィールドPC、SS、SFLの６ビットの合計は96チップ（６つの記号）と同等である。データフィールド用の残りの304チップは、バースト信号の容量を使い切るので、SACCHチャンネル用の４つの記号は、このデータに含まれなければならない。次の表５、表６は、最小のステップPstepが±１dBであり、1/ktcがチップ時間Tcの1/8であることを考慮した関連コマンドへのOC、SSフィールドのビットの写像を示す。
【００６５】
今度は、付録ＡＰＰ２の表７を参照してこれまで説明してきたレベル１要素に対応する物理チャンネルを吟味する。この表は、物理チャンネルへの論理チャンネルの写像を示す。レベル１における相違点を目立たせるためにGSMの対応するチャンネルとの比較を行うことも価値がある。表７で強調された物理チャンネルは、DPCH（Dedicated Physical CHannel：専用物理チャンネル）とP-CCPCH（Primary-Common Control Physical CHannel：１次共通制御物理チャンネル）とS-CCPCH（Secondary-Common Control Physical CHannel：２次共通制御物理チャンネル）とP-RACH（Physical Random Access CHannel：物理ランダムアクセス・チャンネル）とP-FACH（Physical Forward Access CHannel：物理順方向アクセス・チャンネル）とPDPCH（Packet Data Physical CHannel：パケットデータ物理チャンネル）とである。上述の物理チャンネルに写像され得る論理チャンネルは、下記の名前で表に示されている。すなわち、TCH（Traffic CHannel：トラフィック・チャンネル）とSACCH（Slow Associated Control CHannel：低速関連制御チャンネル）、FACCH（Fast Associated Contrl CHannel：高速関連制御チャンネル）、BCCH（Broadcast Control CHannel：広報制御チャンネル）、PCH（Paging CHannel：ページング・チャンネル）、AGCH（Access Grant CHannel：アクセス許可チャンネル）、optCH（Optional CHannel：オプションチャンネル）、COCH（COMMON Omnidirectional CHannel：共通全方向性チャンネル）、RACH（Random Access CHannel：ランダムアクセス・チャンネル）、FACH（Forward Access CHannel 1 burst：順方向アクセス・チャンネル・１バースト信号）、PDTCH（PacketData Traffic CHannel：パケットデータ・トラフィック・チャンネル）、PACCH（Packet Associated Control CHannel：パケット関連制御チャンネル）である。
【００６６】
3Gシステムの２つの特定の物理チャンネルは、疑いもなく２つのパイロット・時間スロットDwPTS及びUpPTSである。これらのうち、ダウンリンク・パイロット信号DwPTSは、新しい状況において、フレーム番号TDMAを持たないこと、したがって広報されたシステム情報によって経路指定されることを除いて、GSMのSCH機能及びFCCH機能をサポートするバースト信号の機能に類似の機能を実行する。これに対して、アップリンク・パイロット信号UpPTSは、TDDフレームに更に適しているのでGSMには適合しない。見てきたように、移動装置は、専用チャンネルの割当てを要求するために、通常はランダムアクセス・チャンネルRACH上で次のメッセージで送信される信号の時間及びパワーの同期を有するようにUpPTSによって運ばれる署名SYNC1を使用するように強制される。時間とパワーの同期要件は、ネットワークへの最初のアクセス時に発生し、後にネットワークが専用チャンネルを移動体（UE）に割り当てたときにミッドアンブルを供給する。従ってその時までSYNC1列は必要である。したがってアクセス・同期メカニズムは、3Gシステムの異なる物理的設定に関してだけ、GSMとは異なっている。GSMでは、許容される妨害の程度に対する要件は厳しくないので、またSYNC1列の同等アップリンクは存在しないので、専用チャンネルの割当て前の時間とパワーの同期は予測されない。正しい動特性は、図１８、１９、及び２０を参照した応用例に見られる。ここで強調する必要があることは、最初のアクセスとしてRACHチャンネルまたは専用チャンネルへのアクセスを行う前に、ハンドオーバ中、移動装置がチャンネルP-FACHを介してネットワークから受信通知を取得するまでSYNC1列を送信し続けることと、この列が専用チャンネル上での切換えの直前にもう一度（ハンドオーバを除いて）送信できることとである。
【００６７】
以上述べたことについては、符号SYNC1によるアクセスメカニズムは、このメカニズムを反復することによって、そしてチャンネル形成手順の第１及び第２部分においてこのメカニズムが作用するので、このメカニズムが物理チャンネルUpPTS上での衝突の大きな恐れも持ち合わせている様子を議論することができ、この恐れは、システムが、前記チャンネル用に互いに直交する８つの異なるSYNC1を提供することによって部分的に軽減されるに過ぎない。しかし、3Gのようなブロードバンド（広帯域）システムでは、GSMのようなナローバンド（狭帯域）とは逆に、セル毎に必要なキャリアはずっと少数で（１つのみのことさえも）あるので、測定が不十分であり得る。このことは、通常の遠隔通信トラフィックのサービス中には、GSMのキャリア上よりも3Gシステムのキャリア上で、ずっと多数のアクセス要求を受信することを意味する。従って、UpPTSチャンネル上での衝突の確率が残り、呼びの設定において長かれ短かれ遅延を辛抱すべき煩わしい不便性をユーザにもたらさないために、この確率をなくさなければならない。本発明の方法は、列SYNC1の送信によって行うネットワークへのランダムなアクセスを調整して、3GのようなUMTSシステムにおいて上述した列を使用することによって生じる衝突の確率を根本的に低減することのみを目標とする。GSMにおいて予見される衝突防止方法が、ちょうど前記勧告において予見されたようにRACHチャンネル上で共存し続けて、列SYNC1の送信にも同様に適用可能であり、また本発明が課す制約を受けることも挙げなければならず、この方法によって、本発明はGSMにおいて予見される上述した方法に影響されない。
【００６８】
付録ＡＰＰ１の表７の物理チャンネルの記述によって説明を続ければ、１次チャンネルP-CCPCHを、例えばダウンリンク時間スロット６（図１２ａ参照）内のパイロット信号DwPTSの直前に割り付ける。チャンネルP-CCPCHは、分布係数16を有する２つのリソースユニット（資源単位）を使用する。このチャンネルは固定の放射パターンを有し、このパターンは、全方向性とするか、あるいはセルに所定形状を与えるために限定したビーム形成を施すことができる。ミッドアンブルの最小のシフト（移動）値は常にチャンネルに関連する。１次チャンネルP-CCPCHは、より高いレベルの23情報バイトを伝達して、他の共通制御チャンネル上に情報を供給する。
【００６９】
２次チャンネルS-CCPCHは、すべてのダウンリンク時間スロット内に自由に割り付けることができる。S-CCPCHチャンネルは、分布係数16を有する２つのリソースユニット（資源単位）を使用し、全方向あるいは適応的な可変ビーム形成を施すことができる。
【００７０】
P-RACHランダムチャンネルは、その番号が予測されるトラフィックに依存する１つ以上のアップリンク・時間スロットに割り当てることができ、またサービスチャンネルの割当て要求を持った移動装置のメッセージを搬送するために使用される。拡散係数は常に16であって、全方向的または適応的可変ビーム形成を施すことができる。これは、部分的にレベル１の情報を持っている。
【００７１】
P-FACHダイレクトチャンネルは、すべてのダウンリンク・時間スロット内に自由に構成できる。拡散係数は常に16であって、全方向的または適応的可変ビーム形成を受けることができる。これは、部分的にレベル１の情報を持っている。このチャンネルP-FACHは、正しく現された各列SYNC1にネットワークの応答を搬送する。この応答メッセージは、遅延を単一の5ms基本フレームに限定するために単一のバースト信号で供給される。ネットワークは、P-FACHチャンネルに付けられた応答を介して、列SYNC1を送信した移動局に、受信認知された列の識別子、及び恐らくP-RACHチャンネル上でのサービス要求メッセージとなりそうな次のメッセージの伝送に使われる正しい進みとパワーレベルについての指示の識別子とを与える。SYNC1列を介してのネットワークへのアクセスは、直ぐ次の段階に入ってくるチャンネルP-RACHとP-FACHとP/S-CCPCH（この場合はAGCH）とに移動装置を割り当てる方法を決定することを同時に含む。このモードの定義で筆者等は、衝突とは幾分異なる態様に直面しなくてはならない。実際に上記のチャンネルの２つ以上が各セルに関して構成できるので、移動装置は、これらの中のどのチャンネルから前の列SYNC1に対する（またはそれぞれチャンネル要求に対する）ネットワークの応答を待たなくてはならないかを確定する問題を持つ。システム情報の系統的な読取りに起因する信号遅延を避ける利点を有する、ここに示された問題に対する回答は、本出願者の名前で出願された最近の特許出願に記載されている。ここに示した解は本質的にSYNC1→P-FACH→P-RACH→P/S-CCPCHというリンクと同等である下記の型のリンク：SYNC1→P-FACH→P-RACH→AGCHを生成することにあり、これは下記の制約を受ける：
−この写像は、８つのSYNC1列の各々を１つのチャンネルP-FACHに関連付けなくてはならない。各P-FACHは、少なくとも１つのSYNC1の行き先でなくてはならない。
−P-FACHからP-RACHへの写像は、構成されたP-RACHとの関連を生成しなくてはならない。各構成されたP-RACHは、少なくとも１つのP-FACHの行き先でなくてはならない。
−P-FACHからAGCHへの写像は、構成されたP/S-CCPCHとの関連を生成しなくてはならない。チャンネルP/S-CCPCHは、AGCHを担持する。各構成されたAGCHは、少なくとも１つのP-FACHの写像の行き先でなくてはならない。
【００７２】
予測される異なるリンクを規定する情報は、広報されたシステム情報の間に含まれ、したがってリンクは、接続を確立する前でも移動体とネットワークとによって知られる。付録ＡＰＰ２の表８は、列SYNC1のグループとチャンネルP-FACHとのこのような関連の例を与える。この表から分かるように、チャンネルP-FACHによって使われる時間スロットの数を増加させると、結果的にSYNC1グループは増加し、単一グループ内の要素の数は平均的に減少する。予想されたリンクと同様のリンクを確立したことは、移動体がネットワークからの応答を得ることを可能にし、適切な接続を有利に行うことを可能にする。
【００７３】
物理的な専用制御チャンネルDPCHは、図１２ｇでは、ミッドアンブルの両端、及びSACCHチャンネル向けに予約した隣接フィールドに位置する２つのフィールドL1に対応する。ビーム形成を施される双方向チャンネルが存在する。図１２ｇのバースト信号の構造は、ネットワークへのアクセス中の使用には不適であり、異なる移動装置に向けたPC及びSSコマンドの集中的な使用によって特徴付けられ、このタスクは、バースト信号全体を使用する物理チャンネルP-FACHによって実行する。
【００７４】
チャンネルPDPCHは、DPCH専用チャンネルと同じ構造を持っており、レベル１フィールドの意味は明らかに変化している。
【００７５】
今度は表７の物理チャンネルに写像された論理チャンネルを説明する。これらのチャンネルは、プロトコルの上位レベルによって供給されるブロックを無線インタフェースの物理レベルに送付するので、搬送（トランスポート）チャンネルとも称される。機能的観点から表７の論理チャンネルは、図１５に示すようにグループ化される。図を参照して、下記の主要な３グループ：TRAFFIC CHANNELS（トラフィック・チャンネル）とCONTROL CHANNELS（制御チャンネル）とPACKET DATA CHANNELS（パケットデータ・チャンネル）とを認めることができる。CONTROL CHANNELのグループは、下記のチャンネル型：BROADCAST CHANNEL（広報チャンネル）とCOMMON CONTROL CHANNEL（共通制御チャンネル）とDEDICATED CONTROL CHANNEL（専用制御チャンネル）とを含む。この内訳は、この表から読み取れるが、ここではTCH/FはTCHフルレートであり、TCH/HはTCHハーフレートであり、またオプションチャンネルはNCH（Notification CHannel）とCBCH（Cell Broadcast CHannel）で示されている。BROADCAST CHANNELと称するすべてのチャンネルは、全方向（COCH）としても分類される。GSMチャンネルとは何らかの類似性はあるが、対応は正確ではなく、また機能レベルでの相違が存在し、一般にこれは物理レベルと写像レベルとで異なっている。下記の説明は、機能的態様と写像方法とを含んでおり、専用チャンネルから始める：
・TCH（Traffic CHannel：トラフィック・チャンネル）。これらは、回路切換えモードでユーザによって生成された符号化音声またはデータを搬送する双方向チャンネルである。２つの種類が利用可能であり、フルレートTCH/FとハーフレートTCH/Hとがある。ペイロード全体は、レベル１信号とSACCHチャンネルとには使われない部分の物理チャンネルDPCHに写像される。１つのRUSF8、あるいは１つまたは２つのRUSF16を写像することが可能である。高速のデータレートのためにTCHチャンネルは組み合わせることができる。これらは、ビーム形成を施される。
・FACCH（Fast Associated Control CHannel：高速関連制御チャンネル）。これは、既に述べたようにビット・スチール・モードでトラフィック・チャンネルに関連する。これは、１つまたは２つのインターリーブ・フレームに23バイトを割り当てて写像される。これは、ハンドオーバの情報のような、ある緊急の重要な情報を転送するために使われる。このチャンネルは、RR接続（Radio Resorce：無線資源）にとって一意の双方向無線リンクではあるがハンドオーバのために一時的に二重になることもある、少なくとも１つのアップリンクRU及びFACCHチャンネルを担持する１つのダウンリンクとからなる、いわゆる主要信号リンクの骨格を形成するので、主要DCCH（Dedicated Control CHannel）とも称される。SACCHは、主要信号リンクの一部であり、TCHチャンネルも一部を形成することもできる。
・SACCH（Slow Associated Control CHannel：低速関連制御チャンネル）。これは、トラフィック・チャンネルTCHに関連し、測定データといった緊急でなく重要でない情報を転送するためにネットワークと移動体とによって使われる。これは、24個の5msフレームに23バイトを割り当てて写像し、各TCHバースト信号にはSACCHチャンネル用の４つの記号が存在する。図１６は、120msのGSM26フレームのトラフィック・マルチフレームを、120msの24フレームの3Gマルチフレームと比較する。上部の線には、２つのシステムに共通な音声符号器の出力における６つの260ビット・ブロックが写像されている。図から認められるように、GSMにはSACCHチャンネルの処理時に置くことのできる２つの使われないTCHフレームが存在する。特に26番目のフレームは、音声やデータの損失のない近距離のBTS局に対して測定を実施するために使われる。3Gシステムではこの種のフレームは存在せず、従ってチャンネルSACCHは、各TCH内に写像しなくてはならない。
・BCCH（Broadcast Control CHannel：広報制御チャンネル）。これは、広報モードのダウンリンクでシステム情報をセル内に拡散する。チャンネルBCCHは、物理チャンネルP-CCPCHの２つのRUSF16に写像される。BCCHチャンネルは、物理チャンネルの間隔を置いたフレームをPCHチャンネルまたは他の共通制御チャンネルと共用する。パイロット信号DwPTSの列変調は、BCHチャンネル（広報チャンネル）を含むチャンネルP-CCPCHのインターリーブ期間の開始を示す。物理チャンネルP-CCPCHのレイアウトは、システム情報に信号送出される。付録ＡＰＰ２の表９は、48の制御フレームからなるマルチフレームの共通制御チャンネルBCCHとPCHとの多重の例を示している。この目的のためにマルチフレームは、４つの基本フレームの長さの、間隔を置いたブロックに細分される。一意的なシステム情報（SYSTEM INFORMATION）メッセージを、システムフレーム番号SFNに対して事前設定した位置に構成可能なBCCHチャンネル上で送信する。
・PCH（Paging CHannel：ページング・チャンネル）。これは、ダウンリンクでページング・メッセージを移動装置に送信する。これは、全方向放射パターンまたはビーム形成を施される放射パターンのどちらも有することができる。P-CCPCHまたはS-CCPCHへのその写像はBCCHによって運ばれるシステム情報に示される。AGCH（Access Grant CHannel：アクセス許可チャンネル）。これは、メッセージが正しく表されて受け取られたときは何時でも、移動体がP-RACHチャンネルで送信した、前のチャンネル要求メッセージに対する応答を移動体の送るためにネットワークによってダウンリンクで使用する。これらの応答をSYNC1に搬送するP-FACHとの相違に注意すること。
・CBCH（Cell Broadcast Channel：セル広報チャンネル）。これは、SMSCBサービス（Short Message Service Cell Broadcast：短メッセージ・サービス・セル広報）のために使われるチャンネルである。
・NCH（Notification CHannel：通知チャンネル）。これは、会議型の移動装置の呼びを通知するために使用するチャンネルである。
・RACH（Random Access CHannel：ランダムアクセス・チャンネル）。これは、サービスチャンネルの要求メッセージを送信するために移動装置が使用する。P-CCPCHへのその写像は、BCCHによって運ばれるシステム情報内に示される。
・FACH（Forwadr Access CHannel：順方向アクセス・チャンネル）。これは、SYNC1の送信に対する即時応答としてパワー制御（PC）および同期シフト（SS）コマンドを移動装置に送信するためにネットワークによって使われる。
・PDTCH（Packet Data Traffic CHannel：パケットデータ・トラフィック・チャンネル）。これらは、パケット交換データを搬送する。
・PACCH（Packet Associated Control CHannel：パケット関連制御チャンネル）。これらは、パケット交換データに関連する信号を搬送する。
【００７６】
3Gシステムでは、論理チャンネルのサイズ決定及び割当てを行うためにGSMシステムによって使われる同じ手法に従うことは不可能である。GSMシステムでは各ダウンリンク・時間スロットは１つのアップリンク・時間スロットに結合しているので、ある時間スロット・マルチフレームの複数のチャンネルの組合せを共用するすべての論理チャンネルの間で自然接続が行われる。この事実は、PCHチャンネルをRACHチャンネルに関連付けるためと、RACHをAGCHに関連付けるために、GSMで使われる。もしチャンネルの組合せが１セル内の２つ以上の時間スロットに存在すれば、負荷を共有する目的でこれらのチャンネル間に移動装置を分散させる方法が存在する。3Gシステムでは強調した種類の自然接続は存在しないので、制御チャンネル間の同様な接続はその定義を介して確立される。広報されたシステム情報は、合意された規定の痕跡を含むであろう。考えている制御チャンネルは、CCHset（Control CHannel Set：制御チャンネル組）と称される割当て組を表す。3Gシステムでは２つ以上のCCH組が構成できる。図１５は、１つの3Gの5ms基本フレーム中の、CCH組及びP-FACHチャンネルの可能なレイアウトを示す。
【００７７】
図１８、１９、及び２０は、現在までに3Gシステム上で提供されたすべての概念の一部の適用例を示すメッセージ順序の図である。これらの図は、本発明を特徴付ける手段及び教示を用いる同数の手順が参照する。記述した手順は、インタフェースUmにおいて予見される手順のうち比較的重要なものである。本発明の目的に対して、次のメッセージ、即ちBCCH、ハンドオーバ（HANDOVER）、コマンド（COMMAND）、即時割り当て（IMMEDIATE ASSIGNMENT）、アップリンク自由（UPLINK FREE）が基準に従って問題とするような基準を適用する。移動体が、VGCS（Voice Group Call Service：音声グループ発呼サービス）チャンネルに関するアップリンクアクセス手順で最後のメッセージ（以上では説明していない）を送信する。このメッセージによって、MSが同期状態とパワーレベルを合わせて、即時割り当て手順を開始し、この手順については後に簡単に説明する。アップリンク自由（UPLINK FREE）メッセージに先行してSYNC1バースト信号の送信を行い、基地局BTSCがこのバースト信号に反応して、物理情報（PHYSICAL INFORMATION）メッセージのダウンリンク送信を行う。
【００７８】
図１８及び１９はそれぞれ、移動体MSからの発信呼び、及び移動体MS向けの終結呼びが参照する。これらの図では、移動体MSとは異なるすべての構成要素（エンティティ）（BTSC、BSCC、MSC）を一般用語ネットワーク（NETWORK）で示し、関係する物理的構成要素あるいはプロトコルの構成要素を指定することもあり得る。これら２つの図の手順は同様であり、両者が移動体のアイドル（待機）状態に由来するものであり、この状態では、移動体がネットワークによってPCHチャンネル上に送信される呼び出し（ページング）メッセージを監視する。第２の手順よりもむしろ第１の手順に入るということは、移動体がチャンネルの要求を、ネットワークに命令されて行うよりもむしろ自発的に行うものと特定することに依存する。一方または他方の動作段階に入った後に来る段階は、即時割り当て（IMMEDIATE ASSIGNMENT）手順に属し、この手順の目的は、移動局とネットワークとの間のRR（Radio Resource：無線リソース）接続を確立することにある。この点から、以下の記述は両図に当てはまるが、即時割り当て（IMMEDIATE ASSIGNMENT）手順を開始する前に、移動体が、P/S-CCPCHチャンネルに含まれるいわゆるシステム情報から以下の情報を取得するものとする：
−SYNC1符号とP-FACHチャンネルとの間のマップ（地図）、P-FACHチャンネルとP-RACHチャンネルとの間のマップ、P-RACHチャンネルとP/S-CCPCHチャンネル内に構成されるAGCHチャンネルとの間のマップ；
−アップリンクパイロット信号UpPTS上のアップリンク妨害レベル；
−P-CCPCHチャンネルの送信パワーのレベル；
−システムフレーム番号SFN；
−次の、ランダムアクセスの制御パラメータ；
１．SYNC1の各送信におけるパワーレベルを増加させるステップ（段階）PSTEP；
２．"アクセスパラメータ"として総括的に示す一部のパラメータ値であり、本発明、及び本発明の他の好適例の教示によれば、SYNC1バースト信号を送信するアクセスサブチャンネルUpPTSSUBCHのスケジュールを可能にする；
３．SYNC1バースト信号の再送信についての最大値"Ｍ"；
４．２つのSYNC1バースト信号を再送信する間のフレーム数"Tx-integer"；
５．制御アクセスパラメータ"CELL_BAR_ACCESS"の値；
６．許容されたアクセスクラス"AC"及び"EC"；
【００７９】
この即時割り当て（IMMEDIATE ASSIGNMENT）手順は、移動体のRR構成要素によってのみ開始することができる。初期化はサブレベルMMの要求によってトリガされるか、または専用モードに入るためのLLC（Low Layer Compatibility：下層との整合性）レベルにとってトリガ（起動）されるか、あるいは呼び出し要求（PAGING REQUEST）メッセージに対する応答中のRR構成要素によってトリガされる。こうした要求の際にネットワークへのアクセスが許可されていれば、移動体のRR構成要素が、後に規定する即時割り当て手順を開始して、アクセスが許可されていなければ、このRR構成要素は要求を拒絶する。サブレベルMMからのRR接続を確立する要求は、"確立の原因"を指定する。同様に、RR構成要素からの、呼び出し要求（PAGING REQUEST）1,2または3のメッセージに応答してRR接続を確立する要求は、"呼び出しへの応答"の確立の原因のうちの１つを指定する。
【００８０】
SIMカードを挿入したすべての移動装置局は、0から9の番号を付けた10のアクセスクラスのうちの１つのメンバーである。このアクセスクラスはSIMに記憶されている。これに加えて、移動装置局は、SIMカードに記憶された5つの特別アクセスクラス（11〜15）のうちの１つのメンバーであり得る。セル内ですべての移動装置に対する緊急の呼び、あるいは認可された特別なアクセスクラスのメンバーのみに対する緊急の呼びが許可されている場合には、伝送中のBCCHチャンネル上のシステム情報メッセージは、アクセスを認可されたクラスの特別なもののリストを広報する。サブレベルMMの要求についての"確立の原因"が"緊急の呼び"ではない場合には、移動体が少なくとも１つのアクセスクラスまたは認可された特別なアクセスクラスのメンバーである場合のみに、ネットワークへのアクセスを生成する。逆に、"確立の原因"が緊急の呼びである場合には、緊急の呼びがセルのすべての移動装置に許可されている場合のみに、あるいは移動体が少なくとも認可された特別なアクセスクラスのメンバーである場合のみにネットワークへのアクセスを許可する。
【００８１】
パラメータ"M"及び"Tx-integer"に関連する前記の点３〜６は、アクセスクラスについて述べたことと共に、GSMにおいてRACHチャンネル上の衝突を制限するメカニズムを表現する。これらのメカニズムは本質的に、移動体が実行するランダムアクセスの試みの反復を時間的に延長して、ランダムアクセスの試みの回数を制限してチャンネルを過負荷にしないことにある。トラフィックがピークの瞬間のように、このメカニズムが不十分であると判明した際には、ユーザのグループに至るネットワークへのアクセスを選択的かつ一時的に阻止するアクセスクラスのメカニズムが動作に入る。後で説明するように、これらのランダムアクセスの調整メカニズムは、本発明によって実現されるメカニズムとは、結果が相補的であるという点でかなり異なる。一旦アクセス要求が満たされると、移動体のPRMプロトコル構成要素が、SYNC1バースト信号の物理チャンネルUpPTS上への送信を適切な方法でスケジュールする即時割り当て（IMMEDIATE ASSIGNMENT）手順を開始して、結果的に、アイドルモード（特に呼び出しメッセージを無視する）を抜け出す。そして移動体が、次のようにするために、M+1個のSYNC1バースト信号をUpPTSチャンネル上に送信する：
−本発明によって予見されるアクセスパラメータによって決まるアクセスサブチャンネルUpPTSSUBCHに整合するSYNC1バースト信号が選択的に送信される；
−即時割り当て手順の開始と最初のSYNC1バースト信号との間のフレーム数（バースト信号そのものを除く）は、即時割り当て手順の新たな開始毎にこれを示すランダムな数であり、この数は集合{0,1,...,Tx-integer8−1}内に一様確率分布を有する；
−SYNC1を連続して２回送信する間のフレーム数は、本発明の好適例に従って実行するスケジューリングに準拠した最小許容値である。
【００８２】
最初のSYNC1バースト信号を送信した後に、移動体は対応するP-FACHチャンネルの監視を開始して、物理情報（PHYSICAL INFORMATION）メッセージを表示する。このメッセージは、MSが使用する符号の参照番号、制御フレーム数CFN、確認応答された（acknowledged）SYNC1バースト信号を搬送しているフレームのうちの関連するフレーム番号、対応するP-RACH上の妨害レベル、確認応答されたSYNC1バースト信号に関係するタイミング進み及びパワーレベルを含む。物理情報（PHYSICAL INFORMATION）メッセージを、SYNC1の送信から４フレーム以内の間だけ待機する。
【００８３】
M+1個のSYNC1バースト信号を送信してネットワークからの有効な応答がなければ、即時割り当て手順を中止して、この手続きをサブレベルMMの要求によってトリガした場合には、ランダムアクセスの失敗をサブレベルMMに通知する。待機していたメッセージが表示され次第、移動体はタイマーT3126を始動させて、チャンネル要求（CHANNEL REQUEST）メッセージを、同期及びパワーレベルの正しい値と共に、対応するP-RACHチャンネル上に送信する。チャンネル要求（CHANNNEL REQUEST）メッセージは少なくとも次のパラメータを含む：
−サブレベルMMによって与えられた"確立の原因"に対応する"確立の原因"、あるいはチャンネルの必要性についての情報を含む呼び出し要求（PAGING REQUEST）メッセージに対する応答におけるRR構成要素によって与えられた"呼び出しに対する応答"データという原因に対応する"確立の原因"；
−あらゆる新規の送信についての一様分布確率のパラメータからランダムに選択したランダム参照パラメータ；
−ユーザ装置（UE）がネットワークへのアクセスを行うために使用する時間進み及びパワーレベル；
−ネットワークによる広報において信号を載せる時間スロット上の妨害レベル。
【００８４】
移動体は、チャンネル要求（CHANNNEL REQUEST）メッセージを送信した後に、対応するP/S-CCPCHの監視を開始して、AGCH構成のチャンネル上でこのP/S-CCPCHを待機している即時割り当て（IMMEDIATE ASSIGNMENT）メッセージを検出する。タイマーT3126の計数が満了すると、即時割り当ての手順を中止して、MMがアクセス手順の起動を行うべき場合に、ランダムアクセスの失敗をサブレベルMMに通知する。
【００８５】
ネットワークは、移動体に専用のチャンネルを割り付けて、この移動体に即時割り当て（IMMEDIATE ASSIGNMENT）メッセージを、非確認応答モードでAGCH構成のチャンネル上に送信することができる。そしてタイマーT3101をネットワーク側で始動させる。即時割り当て（IMMEDIATE ASSIGNMENT）メッセージは次のものを含む：
−割り当てた無線RUリソース、チャンネリング符号、周波数、及び時間スロットの記述、チャンネル要求（CHANNEL REQUEST）メッセージの情報フィールド及び上記メッセージを受信したフレームのフレーム番号、MSが次に専用チャンネル上に送信する際に用いる開始タイミング進み及びパワーレベル、本発明によりアクセスサブチャンネルUpPTSSUBCHを識別するアクセスパラメータ及び符号参照番号SYNC1、そしてオプションとして、フレーム番号が示す開始時刻の指示。
【００８６】
移動体は、自分自身の要求に対応するチャンネル要求（CHANNNEL REQUEST）メッセージに対応する即時割り当て（IMMEDIATE ASSIGNMENT）メッセージを受信すると、タイマーT3126を停止して、スケジュールされたフレームに対する次のフレームにおいて、ネットワークによって物理チャンネルUpPTS上に割り当てられたSYNC1バースト信号を送信する。
【００８７】
ネットワークは直後のフレームにおいて、SYNC1バースト信号に応答して、同期及び移動体側のパワーレベルを追加的に終了することを可能にする物理情報（PHYSICAL INFORMATION）メッセージを送信する。同時に、移動体は反復モードに割り当てられたチャンネルに切り換えて、単一信号伝送用のチャンネルモードを設定して、この送信モードは、ネットワークが無効な物理情報（PHYSICAL INFORMATION）メッセージを受信した場合にも、SYNC1バースト信号後のフレームを受信した後に有効になる。そして移動体は、主たる信号伝送リンクを専用チャンネルDPCH上に、情報フィールドを含むSABM（Set Asynchronous Balanced Mode：非同期平衡モードの設定）で確立する。移動体が開始時刻後に使用すべきチャンネルの記述のみを含む即時割り当て（IMMEDIATE ASSIGNMENT）メッセージを受信する場合には、この移動体はチャンネルへのアクセスを行う前に、前記開始時刻まで待機する。開始時刻を既に経過した場合には、移動体はメッセージの受信に対する即座の反応として、ネットワークへのアクセスを行う。この場合には、移動体が割り当てられたチャンネルに切り換える寸前にSYNC1バースト信号を送信して、この移動体の同期状態及びパワーレベルを可能なだけ更新することが推奨される
【００８８】
割り当てに使用可能なチャンネルがない場合には、ネットワークは移動体に即時割り当て拒絶（IMMEDIATE ASSIGNMENT REJECT）メッセージを対応するP/S-CCPCHチャンネル上に非確認応答モードで送信する。このメッセージは、要求の参照及び待機条件を含む。移動体は、自分自身のチャンネル要求（CHANNEL REQUEST）メッセージに対応する即時割り当て拒絶（IMMEDIATE ASSIGNMENT REJECT）を受信すると、タイマーT3122をIE（セル内で前記メッセージを受信したセルに関係する情報要素"待機指示値"）の指示値で始動させて、タイマーT3126の計数が満了するまで、対応するP/S-CCPCHチャンネル上を監視する。この時間中には、追加的な即時割り当て拒絶（IMMEDIATE ASSIGNMENT REJECT）メッセージを無視するが、移動体のチャンネル要求（CHANNNEL REQUEST）メッセージに対応するあらゆる即時割り当てが、移動体に以下のステップに記述する手順を実行させる。即時割り当て（IMMEDIATE ASSIGNMENT）メッセージを受信していない場合には、移動体はアイドルモードCCCHに戻って、この移動体の呼び出しチャンネルを監視する。オプションとして、移動体は、自分自身のチャンネル要求（CHANNEL REQUEST）メッセージに対するネットワークからの応答を受信し次第、アイドルモードCCCHに戻ることができる。移動体は同一セル内では、タイマーT3122の計数が満了するまでは、緊急でなければRR接続を新たに確立する試みを行うことを許可されない。緊急のRR接続の試みのための即時割り当て拒絶（IMMEDIATE ASSIGNMENT REJECT）を受信していないものとすれば、移動体はタイマーT3122の計数が満了する前に、同一セル内で、緊急用の専用モードに入る試みを行うことができる。"パケットアイドルモード"にある移動体（GPRSをサポート（支援）する移動装置に限る）は、タイマーT3122の計数が満了する前に、同一セル内でパケットアクセスを開始することができる。T3122の満了後には、移動体用の呼び出し要求（PAGING REQUEST）を受信するまでは、呼び出しに対する応答としてチャンネル要求（CHANNNEL REQUEST）メッセージを送信しない。
【００８９】
主たる信号伝送リンクを確立すると、ネットワーク側では即時割り当て（IMMEDIATE ASSIGNMENT）手順を終了する。移動体はアップリンクアクセス（UPLINK ACCESS）メッセージ（UA）を送信して、ネットワークがタイマーT3101を停止して、ネットワーク側のサブレベルMMは、RR構成要素が専用モードに入ったことを知らされる。アクセスサブチャンネルUpPTSSUBCHを識別するパラメータの割り当て及び使用方法を述べる前に、単に本発明に関する要点を強調する目的で、システム内ハンドオーバ手順は簡単に記述するに値する。
【００９０】
図２０を参照すれば、ネットワークが、移動装置に対するシステム内のセル内ハンドオーバ手順を開始して、旧セルの主たる信号伝送リンクDCCH上で、この移動装置にハンドオーバコマンド（HANDOVER COMMAND）メッセージを送信して、タイマーT3103の計数を開始させる。こうするために、サービスSPI＝0（信号伝送を識別するサービスアクセスポイント識別子）用の新たなセル内のデータ接続の初期化であるLAPDmプロトコル機能を含む、ハンドオーバに対する予備機能が達成されている、ということがサポートされている。
【００９１】
移動体は、ハンドオーバコマンド（HANDOVER COMMAND）メッセージを受信した後に、プロトコルの種々のレベルに対する接続である前の接続の解放を開始して、物理チャンネルを切断して、新たなセル内で割り当てられたチャンネルに指向するように切り換えを行って、より低いレベルにおける新たな接続の確立を開始する（このことは、チャンネルの有効化、チャンネルの接続、及びデータ接続の確立を含む）。ハンドオーバコマンド（HANDOVER COMMAND）メッセージは（要約すれば）次のものを含む：
−AGCHチャンネル、及び多リソース構成用に用いるFACCHチャンネルとSACCHチャンネルを含む新たなチャンネルの特性、及びオプションとして、新たなチャンネル上で送信するパワーレベル。
−移動体が、測定手順から取得する同期についての予備知識（例えば、セルのスクランブル符号＋チャンネルPCCPCH/DwPTSの周波数及びパワーレベル）を使用することを可能にするデータを含めた、良好に通信するために必要な新たなセルの特性。チャンネルPCCPCH/DwPTSのパワーレベルは、移動体が新たなチャンネル上で最初に電源投入するために用いる。
−パワーコマンド（オプション）。このパワーコマンドにおいて規定するパワーレベルは、移動体が新たなチャンネル上で最初に電源投入するために使用し、旧チャンネル上で用いるパワーには影響しない。
−新たな物理チャンネルを有効にするために使用する手順の指示。
−異なるプロトコルレベルで使用するハンドオーバ基準。
−ハンドオーバのため、専用チャンネルにアクセスするための一部のパラメータのうち、新たなセル内で使用中の列SYNC1のグループの識別子、新たなセル内でアクセスサブチャンネルUpPTSSUBCHを識別するアクセスパラメータ、及びP-FACHチャンネルの記述。
−新たなセル内で使用すべきタイミング進み値（オプションであり、同期したセル用に用いる）。
−移動体が新たなセル内で適用すべきタイミング進みを計算するために使用する実時間の差（オプションであり、同期したセル用に用いる）。
−新たなチャンネルに適用すべき暗号化モード（オプション）。この情報が存在しない場合には、暗号化モードは前のチャンネル上で使用した暗号化モードと同一にする。両方の場合とも、暗号化キーは変更しない。暗号化モードコマンド（CIPHERING MODE COMMAND）メッセージが事前に送信されていない場合には、ハンドオーバコマンド（HANDOVER COMMAND）メッセージは"暗号化開始"を示す暗号化モードのIEは含まず、例に示すように、同様なハンドオーバコマンド（HANDOVER COMMAND）メッセージを受信している場合には、このメッセージを誤りと考えて、"無指定のプロトコルエラー"によるハンドオーバ失敗（HANDOVER FAILURE）メッセージを即座に返送して、さらなる動作に着手にしない。
【００９２】
以下の、移動体が新たなセル内でハンドオーバアクセス（HANDOVER ACCESS）メッセージを送信するステップまでのステップは、非同期のセル間のハンドオーバの場合のみに実行するが、同期したセルに対して実行して、アクセス時間及びパワーパラメータを最適化することもできる。ハンドオーバコマンド（HANDOVER COMMAND）メッセージ信号のあるネットワークでは、２つの手順のうちの１つを有効にしなければならない。
【００９３】
移動体は、ハンドオーバコマンド（HANDOVER COMMAND）を受信した後に、列SYNC1を、指示されたセルのUpPTSチャンネル上に送信することを開始して、本発明の基準に従い、この目的のためにレベル１のフレームを予約する。移動体はタイマーT3124を始動させて、計数の開始点を、SYNC1バースト信号を最初にUpPTSに送信した時間スロットの時点に設定する。ハンドオーバコマンド（HANDOVER COMMAND）メッセージが許容された列SYNC1以上のものを示す場合には、移動体は許容された列SYNC1の中からランダムに選択する。
【００９４】
ネットワークはSYNC1バースト信号から必要な特性RFを得て物理情報（PHYSICAL INFORMATION）メッセージを関連するP-FACHチャンネル上に"非確認応答"モードで送信する。移動体は最初のバースト信号SYNC1を送信した後に、物理情報（PHYSICAL INFORMATION）メッセージを表現すべく指示されたP-FACHチャンネルの監視を開始する。このメッセージは移動体が使用する符号の参照番号、確認応答したSYNC1バースト信号を受信しているフレームに関連するフレーム番号（以下の注を参照）、P-RACHに対応する妨害レベル、及びタイミング進みを含む。SYNC1の送信から４フレーム以内の間、物理情報（PHYSICAL INFORMATION）メッセージを待機する。有効な応答が表現されない場合には、上述した手順を、タイマーT3124が満了するまで反復する。
【００９５】
注：上述したフレーム番号はセル内で有効な絶対フレーム番号（手順の前記段階では移動体にとってはまだ未知である）とは無関係であるが、逆に、物理情報（PHYSICAL INFORMATION）を受信したフレームと移動体が参照するSYNC1を放出したフレームとの間の距離を移動体に対して示すものはレベル１の情報である。この距離は、移動体が、ネットワークの応答がこの移動体に対するものであるか否かを理解することを手助けする。
【００９６】
移動体が物理情報（PHYSICAL INFORMATION）メッセージを受信すると、SYNC1バースト信号の送信を停止して、ハンドオーバアクセス（HANDOVER ACCESS）メッセージを連続フレームにして、主たる信号伝送リンクDCCH上に反復的に送信することを開始する。このメッセージは、単一のバースト信号に乗せて非暗号化モードで送信する。移動体は移動先のセル内の新たなチャンネルのフレーム番号SFNをまだ知らないので、暗号化／暗号解読を開始することができない。物理情報（PHYSICAL INFORMATION）を受信した直後からは、ハンドオーバ手順は本発明の目的にとってはもはや重要ではないが、完全にするためには、新たなセル内の専用チャンネルに関係するフレーム番号SFNの知識の欠落による技術的問題を強調して説明を進めるに値する。3GシステムをGSMと比較した場合の、ダウンリンク同期メカニズムのレベル１における差によって問題が生じる。既に述べたように、ダウンリンクのパイロット信号DwPTSはフレーム番号SFNを含まず、フレーム番号SFNはP-CCPCHチャンネルによって最初に取得する。従って、移動体はハンドオーバアクセス（HANDOVER ACCESS）メッセージを送信した後には、他の指定がなければ、システム情報の監視を開始してフレーム番号SFNを取得する。ハンドオーバアクセス（HANDOVER ACCESS）メッセージは次のパラメータを含む：
−ハンドオーバコマンド（HANDOVER COMMAND）メッセージ内に受信したハンドオーバ基準；
−UEがネットワークへのアクセスを行うために使用する時間進み及びパワーレベル。
【００９７】
移動体がフレーム番号上の情報を読み取り可能である際には、移動体はタイマーT3124を停止させて、ハンドオーバアクセス（HANDOVER ACCESS）メッセージの送信を停止して、サービスが要求する符号化／復号化方式を用いて送信中の物理チャンネル及び受信モードを有効にして、必要ならばチャンネルどうしを接続する。適用可能な際には、暗号化／暗号解読を即座に開始する。
【００９８】
より低いレベルにおける接続の確立に成功している際には、移動体は、"通常のイベント（事象）"の原因を指定するハンドオーバ完了（HANDOVER COMPLETE）メッセージをDCCHリンク上でネットワークに返送する。移動装置側でのこのメッセージの送信、及びネットワーク側でのこのメッセージの受信は、RR管理レベルとは異なるレベルの信号伝送メッセージの送信の要約を可能にする。
【００９９】
ネットワークがハンドオーバ完了（HANDOVER COMPLETE）メッセージを受信すると、ネットワークはタイマーT3103を停止して、旧チャンネルをハンドオーバ手順のために予め定めた符号と共に開放する。特に同期ハンドオーバにおいては、移動体がハンドオーバ失敗（HANDOVER FAILURE）メッセージを、例えば"ハンドオーバ不能、タイミング進みが範囲外"のような原因の指定と共にネットワークに送信する非定常な場合が発生し得る。
【０１００】
移動装置が列SYNC1を使用してネットワークへのアクセスを行うことを見通した主な手順の記述は、以上で終わる。記述した手順はセルの選択（最初のアクセス）、セルの再選択、及び同期ハンドオーバに関するものである。UpPTSチャンネル上へのアクセスは本質的に衝突が生じにくい、ということは余す所なく述べてきた。衝突を防止するために本発明が提供する解決法は、移動体の配置において符号SYNC1を送信するための異なるサブチャンネルUpPTSSUBCHによってネットワークへのアクセスクラスを規定することである。本発明の好適例によれば、ネットワークが、フレーム番号を規定するサブチャンネルUpPTSSUBCHＮoをスケジュールして、このサブチャンネル内で、移動体が利用可能なグループの符号中からランダムに選択した符号の送信が許可される。この目的に対して、２つのパラメータP1及びP2が予見される。ネットワークにアクセスを行いたい移動体は、システムフレーム番号SFNが次の法則を満足する際に、符号列SYNC1をチャンネルUpPTS上に送信する：
SFN module [P1]＝P2  (1)
SFN module [P1]≠P2  (2)
これら２つの法則のうちのいずれを選択しなければならないかの指示、並びにパラメータP1及びP2の値は、次の関連するメッセージ：BCCH、ハンドオーバコマンド（HANDOVER COMMAND）、即時割り当て（IMMEDIATE ASSIGNMENT）、アップリンク自由（UPLINK FREE）に含まれる上述したアクセスパラメータの一部を形成する情報要素である。チャンネルUpPTS上で送信あるいは再送信される各符号SYNC1は、移動体が同期させたダウンリンクキャリアがサポート（支持）する符号の値の中からランダムに選択し、このことにはサービス中のセル、及びハンドオーバの場合における新たなセルが関係する。セルの再選択の状態におけるUpPTSチャンネルへの最初のアクセスに関しては（これは即時割り当て（IMMEDIATE ASSIGNMENT）メッセージを表現する前か、あるいは送信グループモードに入る前である）、移動体はチャンネルUpPTSのスケジュール及びBCCHチャンネルから法則(1)または(2)を選択するための指示を読み取ることができ、これに続くセルの再選択状態におけるアクセスについては、移動体が必要な情報を、残りのハンドオーバコマンド（HANDOVER COMMAND）、即時割り当て（IMMEDIATE ASSIGNMENT）、アップリンク（UPLINK）メッセージから受信することができる。
【０１０１】
ネットワーク（BSCC、NE）は、関連する手順：即時割り当て（IMMEDIATE ASSIGNMENT）、ハンドオーバ（HANDOVER）、またはアップリンク応答（UPLINK REPLY）が成功でも不成功でも完了し次第、サブチャンネルUpPTSSUBCHの特定の移動体への割り当てを無効にする。特に、このアクセス手順の段階にあるネットワークは、移動体の識別子IMSIによって移動体を知らない（あるいは知ろうとしない）が、この目的のためにスケジュールしたサブチャンネルUpPTSSUBCHＮo上で移動体が送信する符号SYNC1によって間接的に知ることを指摘しておかなければならない。理論的には、前記サブチャンネル上にはまだ衝突の確率が存在し得る。そして衝突を起こした移動装置はネットワークによって消滅させられるが、この確率は疑いもなく、スケジューリングを欠く場合よりも低い。本発明の基準に従って行うようなサブチャンネルのスケジューリングがなければ、UpPTSチャンネル上に符号の過剰な混雑が存在して、その結果として、議論したチャンネルについての衝突確率の増加が存在する。このような状況では、サービスに対する障害は、GSMにおいて予見される通常の衝突防止メカニズムのみによって限定されるが、しかしこのメカニズムは、繰り返しアクセスを試みることによって、サービスクラスの全体をトラフィックから一時的に排除するような欠点ではなくても、ネットワークの過負荷を増加させる欠点を有する。従って、3GシステムにおいてGSMの衝突防止メカニズムを維持することは、極端な負荷条件においては補足的なものと考えなければならないことは明らかである。
【０１０２】
付録ＡＰＰ３に含まれる表１〜４は、簡単のために法則(1)のみを考慮する一部の実際的な場合において、本発明の好適な実施例を実現する態様を理解する手助けとなる。表１に、アクセス型（アクセスの種類）に応じて共用されるすべての可能なサブチャンネルUpPTSSUBCHの概観を示し、前記アクセス型は、アクセスがチャンネルの割り当て手順の第１部分または第２部分に属するということにより、そしてこの最終的に分割したフレーム内では、アクセスが移動体またはネットワークによって制御されるということによる。表２、３、及び４に、法則(1)または(2)の周期的な性質を示し、この性質はmodule[P1]関数を独立変数SFNに適用することから導かれ、システム・マルチフレーム（システム多フレーム：ハイパーフレーム）内での単位の増加と共に時間的に単調に増加する。サブチャンネルの規定を細分化することは、関連する数を増加させ、従って法則(1)または(2)の適用から導かれる間隔の周期も増加する。このことはアクセスにおける無視できる遅延も含むが、この遅延は、単一のサブチャンネル上へのアクセスの試みが減少することによる衝突確率の減少によって大幅に補償される。この法則(1)及び(2)は、非常に単純かつ使いやすい表現を有するが、しかし、反復の周期性及び周期の開始位相を独立的に制御することが可能であると共に、階層的なマルチフレーム（ハイパーフレーム）内の基本フレームに数学的に検証印（目印）を付けることが可能な他の表現の適用によっても同様な結果に到達することがでる。法則(1)及び(2)をサブチャンネルUpPTSSUBCHに適用すると、等周期かつ等位相の目印を付けたフレームのグループができる。パラメータP1及びP2の意味は次の通りである：P1は可能なサブチャンネルの総数を与え、P2はサブチャンネルの識別子UpPTSSUBCHＮoに対応する。
【０１０３】
表２に、４フレーム毎に等周期で回帰するサブチャンネルUpPTSSUBCHのスケジューリングを示し、ここでP1＝４であり、ここでサブチャンネルの50％をハンドオーバに充当して、他の50％をランダムアクセスに充当する。この場合には、サブチャンネルUpPTSSUBCHの25％が、移動装置によって制御される符号SYNC1の送信に充当されて、75％がネットワークによって制御されるという結果が表１から得られる。表３に、サブチャンネルUpPTSSUBCHの異なるスケジューリングを示し、ここでは前の値P1＝４を維持しつつ、サブチャンネルの25％がハンドオーバ用であり、75％が他のランダムアクセス手順用である。この２番目の場合には、表２に対するスケジューリングが異なるにもかかわらず、移動装置及びネットワークの間でのサブチャンネルの共用は、符号SYNC1の送信のコマンドを担うという観点からは、同じ結果になる。表４に、サブチャンネルUpPTSSUBCHの数の数を前の２つの表に比べて増加させるスケジューリングを示し、従ってP1の値は、移動体から出る呼び（m.o.c.）または移動体に向けて終結する呼び（m.t.c.）におけるアクセスを区別するために８に等しく選択する。反復する８つのサブチャンネルのグループにおいて、ハンドオーバと他のランダムアクセス手順との間のUpPTSSUBCHサブチャンネルの配分％割合は同等の50％とする。この３番目の場合には、サブチャンネルの12.5％を移動装置によるアクセス制御に充当して、残りの87.5％をネットワークの処理に充当する。表４のサブチャンネルは次の識別子UpPTSSUBCHＮoを有する：ハンドオーバ0/2/4/6；RA1#(m.o.c.)1；RA1#(m.t.c.)5；RA2#(m.o.c.＋m.t.c.)3,7。
【０１０４】
先の表は、パラメータP1とP2との異なる組み合わせを選択して、移動装置がチャンネルUpPTS上で、Um無線インタフェースにおいて予見される異なる手順で行うランダムアクセスを制御することが可能であることを示している。システムを構成するオペレータ（操作者）は、予期されるトラフィックに対するリソースの正しい計画についての利点を本発明から得ることができる。上述のように得られたサブチャンネルの好適な特徴は、ハイパーフレーム内の絶対システムフレーム番号SFNの知識を必ずしも必要としない。実際に、マルチフレームにおける周期的な信号伝送の開始フレームに一致する所から付番を開始して、同じ周期で反復する換算したフレーム番号SFN'を知れば十分である。この信号伝送をインターリーブ（挟み込み、交錯）する周期は、チャンネルP-CCPCHの必要性に対応する。表９に、48の制御フレームから成るマルチフレームを、各４フレームの12のブロックに分割して、各ブロックを、システム情報及び呼び出し情報の伝送用のBCCHまたはPCHチャンネルに割り当てる例を示す。この場合には、信号伝送ブロックの開始フレームは４フレームのインターリーブ周期を有する。既に述べたように、ブロックの前記開始フレームの必要性は、ダウンリンクのパイロット信号DwPTSのバースト信号中に意図的に加えた情報を用いる既知の技法で信号伝送する。次に、システムの信号伝送のインターリーブ周期の最初のフレームを考えれば、これは共用アクセスサブチャンネルの計算用の反復周期の最初のフレームに一致して、絶対フレーム番号SFNの知識なしで、絶対フレーム番号SFNを数式表現(1)または(2)による換算した番号SFN'に置き換えることができる必要十分条件は、２つのアクセスパラメータP1、P2の値が、前記信号伝送のインターリーブ周期内かあるいはこの周期に一致するマルチフレームにおいてサブチャンネルを識別するような値である、ということである。前述した公式の場合には、この条件はP1≦(信号伝送のインターリーブ周期)によって与えられる。こうした条件に従うことは、制御マルチフレームのブロックへの分割を採用するチャンネルが搬送するメッセージの必要性が一時的に進化することに、移動体が追随することを可能にする。換算した絶対フレーム番号SFN'について直前に述べたことは、絶対フレーム番号SFNの使用に比べて一般的な価値は少なく、絶対フレーム番号SFNには異なるシステム及び信号伝送機能が結び付くが、例えば非同期型のセル間ハンドオーバような一部の場合には、換算した番号SFN'の有用性が明白である。この場合には、実際に移動体が新たなセル内に発生するフレームのタイミングに同期する必要があり、この目的のために、移動体は、ハンドオーバについて予見されるサブチャンネルにSYNC1の送信を開始する。移動体は絶対フレーム番号SFNの知識がないので、最初にこれらのサブチャンネルを計算することができない。こうした情報の復号化を待つことは長くかかり過ぎると見られることがあり、従って、移動体は代替方法として、ダウンリンクのパイロット信号DwPTSの質問をして、信号伝送のインターリーブ周期の開始についての情報をずっと迅速に得ることができ、このことは、換算したフレーム番号SFN'を取得することと同等であり、換算したフレーム番号SFN'を用いて、公式(1)ま��は(2)によって、絶対フレーム番号SFNの読み取りを待機するハンドオーバのサブチャンネルを計算する。
【０１０５】
ここで、本発明の手順の第１の異なる実施例について説明し、この説明については、付録ＡＰＰ３の表５を参照することができる。他の実施例を適用すれば、ここではサブチャンネルを、数式の計算によってではなく、セル内で使用中のキャリアに全体的に関連する符号列SYNC1の適切な共用によって規定する。共用によって、移動体の処理時のSYNC1を所定数の分離した部分集合（サブセット）に分割して、この部分集合は単一要素とすることができ、各部分集合がアクセス型に関連する。表５に可能な分割を示し、ここでは利用可能な８つのSYNC1を、50％はハンドオーバに割り当てて、残りの50％は第１列に示す他のアクセス型に割り当てている。表５には、表４で同じアクセス型を示すべく既に用いたのと同じ識別子UpPTSSUBCHＮoによって、８つのサブチャンネルを示す。表５中の各識別子UpPTSSUBCHＮoは、関連する符号の部分集合から成るサブチャンネルを示す。サブチャンネルの特定の構成、即ち部分集合に含まれる符号の識別子は、情報要素SYNC1-RIPによって示される。サブシステムの形成において、キャリアの処理時に８つの符号グループ内の列を識別する識別子SYNC1Nを、まだ割り当てを行っていない識別子の中から自由に選択して、この自由さは、他のものを差し置いて符号列を選択すべき特定の理由がないことによる。このことにより、そして選択したサブチャンネルUpPTSSUBCHに関連する符号の部分集合において１つ以上の符号が予見される際に常に、このサブチャンネルを使用する移動装置は、この部分集合に属する符号の中からランダムに符号を選択する。第１の実施例の場合には、上述したアクセスパラメータに対応する情報は情報要素SYNC1-RIP及びUpPTSSUBCHＮoを含み、この情報は同じチャンネルを通して転送し、そして本発明の好適な実施例を参照して既に強調したのと同じメッセージを利用する。第１の異なる実施例の場合には、サブチャンネルはもはや周期性及びマルチフレーム内でサブチャンネルに目印を付ける位相を有さず、調整メカニズムの新たな性質は時間性のアクセスの制限を生成しないが、むしろ符号列の空間においてアクセスの制限を生成する。
【０１０６】
こうした他の実施例の導入は、UpPTSチャンネル上の衝突確率を平均的に低減しないので、表現(1)または(2)の計算ほど有効ではない。こうした他の実施例は、単一のアクセス中の移動装置の処理時における符号SYNC1の量を実際に低減し、このこと自体はチャンネル上の衝突確率を増加させるが、同時にアクセスチャンネル数を増加させて、各単一のアクセスに必要な符号数を同じ割合で減少させる。このことは一般に、第１の他の実施例によってもよらなくても衝突確率は概ね不変のままであることを意味する。しかし、短期間には、そして特に移動無線の環境において、例えば都市のマイクロセルのようにトラフィックの混雑が存在する状況では、利点を見出すことができる。この場合には、符号の部分集合を注意深く選択することによって、ハンドオーバの過剰な要求によるサービスにおける煩わしい速度低下を回避することができる。第１の他の実施例は、即座に達成できる利点に加えて、サブチャンネルの形成のための代替方法を教示しており、こうしたものとして、特許によって保護される権利を有するというのが出願人の意見である。他の実施例の有用性は、将来の開発を待つ必要なしに、今からすぐに発見することができ、これは、SYNC1の送信の直後に続く段階、即ち専用チャンネルを割り当てる前のネットワークとのハンドシェイクの段階に関連する。これより前に、次の型のリンクが生成される際に常に、ハンドシェイクが加速されることを既に見出している：
SYNC1 → P-FACH → P-RACH → P/S-CCPCH
これは利用可能な異なるSYNC1どうしを区別することの直後から開始する。移動装置がSYNC1を選択する際には、SYNC1に関連するチャンネルも選択するので、SYNC1を既に共用しているということは、これらのリンクを形成する助けになる
【０１０７】
ここで、本発明の手順の第２の他の実施例について説明し、これは、表現(1)または(2)を、サブチャンネルを規定するための最初の取り組みとして使用するが、送信すべき符号の選択に際しては、移動体は第１の異なる実施例の基準も適用する。このことは、送信すべきSYNC1を、パラメータP1及びP2、特にP2が示すサブチャンネルに等しい、識別子UpPTSSUBCHＮoが示すサブチャンネルに対応するSYNC1-RIPによって記述されるSYNC1の部分集合の中から選択することを暗に意味する。等価な表現をすれば、２つの場合において、サブチャンネルに関連するアクセス型が同一であり、従って、サブチャンネル特定の２つの基準の共同作用であると判明し得ることを意味する。第２の実施例の場合には、上述したアクセスパラメータに対応する情報が、パラメータP1とP2、及び情報要素SYNC1-RIP及びUpPTSSUBCHＮoを含み、この情報は同一チャンネルを通して転送されて、既に本発明の好適な実施例を参照して記述したのと同じメッセージを使用する。図２１及び２２は、本発明の好適な実施例、及び２つの他の実施例の範囲で、共用アクセスサブチャンネルの特定基準を機能的観点から要約した２つの等価な図である。
【０１０８】
図２１を参照すれば、前記基準は図の左から始まって右に、減少する一般的な順序で進行する。最初のブロックでは、一部のアクセスパラメータをリソースに通知して、アクセス型に結び付いたサブチャンネルを得る。２番目のブロックは前記２つの他の実施例に対する前処理であり、ここではSYNC1の共用を必要とし、SYNC1は割り当てグループに限定されたものとして導入しなければならない。３番目のブロックは、サブチャンネルを特定するために利用可能な異なるオプションopt1、opt2、及びopt3を通知する。これに続く円形のブロックは、サブチャンネルの特定後に限って、特に、移動体が前に特定したチャンネル上にSYNC1を送信する方法を移動体に提示する代替方法を示すものであり、即ちＲ＝ランダムモードであるか、あるいはＣ＝事前にネットワークから受信したコマンドによるモードである。他の方法の１つは、最後のオプションと等価な結果をもたらす。もちろん、反復及び非一貫性の可能性が存在するので、終端のブロックに示したオプションが必ずしも許容し得るものではない。例えばオプション（OPTION）2-2として示したオプションは非一貫性である、というのは、ネットワークがまず符号の共用を指示して、次に特定の符号を送信したという新たなコマンドを与えるような論理的なものには見えないからであり、もちろん、送信すべき符号を直接オーダー（発注）することが、より理にかなう。逆にオプション（OPTION）3-2で表わすオプションは、オプション（OPTION）1-2で表わすオプションの繰り返しである。一旦強調した非一貫性及び反復は、サブチャンネルの特定用のアクセスパラメータの割り当ての段階で容易に回避することができる。
【０１０９】
図２２を参照すれば、符号SYNC1の送信方法を選択する、即ちランダムか、あるいはネットワークのコマンドによるかを選択する円形のブロックは、サブチャンネルを特定するための異なるオプションを示すブロックに先行していることがわかる。このことは、非一貫性及び反復の原因を最初から排除することを可能にする。
【０１１０】
付録ＡＰＰ１
付録ＡＰＰ１には、図２のGSM及び3G移動体システムに使用するレベル２プロトコルの非常に一般的な機能記述を含む表Ａ、及びレベル３プロトコルに関係する同様の表Ｂを示す。
図６の凡例
ＰＨＬ          物理層
ＭＡＣ          メディアアクセス制御
ＬＡＰＤ        Ｄチャンネル上のリンクアクセスプロトコル
ＬＡＰＤｍ      修正したＤチャンネル上のリンクアクセスプロトコル
ＭＴＰ          メッセージ転送部
ＲＰＭ          無線リソース管理
ＳＣＣＰ        信号伝送接続制御プロトコル
ＭＭ            移動性管理
ＣＭ            接続管理
ＤＴＡＰ        直接転送応用部
ＢＳＳ＿ＭＡＰ  基地局システム＿移動体応用部
【０１１１】
【表１】
0004005365.tif 000002
【０１１２】
【表２】
0004005365.tif 000003
付録ＡＰＰ２
付録ＡＰＰ２には、本発明を適用した3G移動体システムの無線インタフェースUuのいくつかの物理及び機能特性を詳記した表１〜９を示す。
【０１１３】
【表３】
0004005365.tif 000004
【０１１４】
【表４】
0004005365.tif 000005
【０１１５】
【表５】
0004005365.tif 000006
【０１１６】
【表６】
0004005365.tif 000007
【０１１７】
【表７】
0004005365.tif 000008
【０１１８】
【表８】
0004005365.tif 000009
【０１１９】
【表９】
0004005365.tif 000010
【０１２０】
【表１０】
0004005365.tif 000011
【０１２１】
【表１１】
0004005365.tif 000012
付録ＡＰＰ３
付録ＡＰＰ３には、本発明による手順の応用例を表わす表１〜５を示す。より詳細には、表１〜４は本発明の好適な実施例に属し、表５は第１の異なる実施例に属する。
【０１２２】
【表１２】
0004005365.tif 000013
【０１２３】
【表１３】
0004005365.tif 000014
【０１２４】
【表１４】
0004005365.tif 000015
【０１２５】
【表１５】
0004005365.tif 000016
【０１２６】
【表１６】
0004005365.tif 000017
【図面の簡単な説明】
【図１】 GSMまたはDCS型の移動システムのブロック図である。
【図２】 GSMシステム及び本発明による3Gシステムを含むシナリオのブロック図である。
【図３】 図１、図２の移動システムGSMの無線インタフェースUmに送信する信号の連続フレームの階層を示す図である。
【図４】 図３の連続フレームの階層によってサポートされる論理チャンネル構造を示す図である。
【図５】 図３の連続フレームの階層内の図４の論理チャンネルの可能な２つの構成を示す図である。
【図６】 図２の２つの移動無線システムの動作を制御する、より多くの階層レベルを有するプロトコルのブロック図である。
【図７】 図１の移動システムGSMのインタフェース無線Umへのメッセージの交換に限定した発信呼びのプロトコルに関連するメッセージ順序の図である。
【図８】 図１の移動システムGSMのインタフェース無線Umへのメッセージの交換に限定した終結呼びプロトコルに関連するメッセージ順序の図である。
【図９】 図１の移動システムGSMの無線インタフェースUmにおけるメッセージ交換に限定したセル間ハンドオーバ・プロトコルに関連するメッセージ順序の図を示す図である。
【図１０】 図９のハンドオーバ失敗の場合に関するハンドシェーク段階に関するメッセージ順序の図である。
【図１１】 本発明を含む移動システムの無線インタフェースUuに送信する信号の連続フレームの階層を示す図である。
【図１２ａ】 図１１の階層に属するいくつかの可能な基本フレームを示す図である。
【図１２ｂ】 図１１の階層に属するいくつかの可能な基本フレームを示す図である。
【図１２ｃ】 図１１の階層に属するいくつかの可能な基本フレームを示す図である。
【図１２ｄ】 図１２ａの基本フレームに含まれるDwPTSバースト信号の構造を示す図である。
【図１２ｅ】 図１２ａの基本フレームに含まれるUpPTSバースト信号の構造を示す図である。
【図１２ｆ】 図１２ａの基本フレームに含まれるバースト信号Ts0,...,Ts6の一般的構造を示す図である。
【図１２ｇ】 図１２ａの基本フレームに含まれるバースト信号Ts0,...,Ts6の実際の構造を示す図である。
【図１３】 図１２ｆ、図１２ｇのバースト信号に関連し得るスクランブル符号グループ及びミッドアンブルのグループと共に、図１２ｄの利用可能な異なるDwPTSを異なるセル間で共用する3Gシステムに使用される基準の図である。
【図１４】 図１２ｅの利用可能なUpPTSバースト信号の共用によって図１３の基準を完成させる表を示す図である。
【図１５】 図１１の連続フレーム階層によってサポートされる論理チャンネル構造を示す図である。
【図１６】 図３、図１１の連続フレームの部分的表現及びそれらの比較を示す図である。
【図１７】 図１２ａの基本フレームに関連する物理及び論理チャンネルを表わす図である。
【図１８】 本発明を適用した3G移動システムのインタフェース無線Uuにおけるメッセージの交換に限定した発信呼びプロトコルに関連するメッセージ順序の図である。
【図１９】 本発明を適用した3G移動システムのインタフェース無線Uuにおけるメッセージの交換に限定した終結呼びプロトコルに関連するメッセージ順序の図である。
【図２０】 本発明を適用した3G移動システムの無線インタフェースUuにおけるシステム内のセル間のハンドオーバの部分的なプロトコルに関連するメッセージ順序の図である。
【図２１】 本発明及び本発明の他の実施例のプロセスの概観を想起させる機能的な基準を示す図である。
【図２２】 本発明及び本発明の他の実施例のプロセスの概観を想起させる機能的な基準を示す図である。
【図１】
0004005365.tif 000018
【図２】
0004005365.tif 000019
【図３】
0004005365.tif 000020
【図４】
0004005365.tif 000021
【図５】
0004005365.tif 000022
【図６】
0004005365.tif 000023
【図７】
0004005365.tif 000024
【図８】
0004005365.tif 000025
【図９】
0004005365.tif 000026
【図１０】
0004005365.tif 000027
【図１１】
0004005365.tif 000028
【図１２ａ】
0004005365.tif 000029
【図１２ｂ】
0004005365.tif 000030
【図１２ｃ】
0004005365.tif 000031
【図１２ｄ】
0004005365.tif 000032
【図１２ｅ】
0004005365.tif 000033
【図１２ｆ】
0004005365.tif 000034
【図１２ｇ】
0004005365.tif 000035
【図１３】
0004005365.tif 000036
【図１４】
0004005365.tif 000037
【図１５】
0004005365.tif 000038
【図１６】
0004005365.tif 000039
【図１７】
0004005365.tif 000040
【図１８】
0004005365.tif 000041
【図１９】
0004005365.tif 000042
【図２０】
0004005365.tif 000043
【図２１】
0004005365.tif 000044
【図２２】
0004005365.tif 000045